(57)【特許請求の範囲】
【請求項１】
配置対象領域に配置される複数の太陽電池モジュールの配置位置を表す配置情報と、配置対象領域に設定される集約位置とを取得する太陽電池モジュール配置情報取得手段と、
太陽電池モジュール同士を電気的に接続するためのモジュール間ケーブルが接続される接続部の情報を含む各太陽電池モジュールに関するモジュール情報を取得する太陽電池モジュール情報取得手段と、
各太陽電池モジュールのうち少なくとも２つ以上から構成されるモジュール群に関する情報であって、各モジュール群における太陽電池モジュール同士を直列接続および並列接続のいずれによって接続するかを表す接続形態を含む系統情報を取得する系統情報取得手段と、
配置情報、モジュール情報および系統情報に基づいて、各モジュール群が有する太陽電池モジュール同士を電気的に接続するモジュール間ケーブルの配線経路と、各モジュール群によって得られた電力を供給先に導くための各給電ケーブルの配置経路とを算出する配線経路算出手段と、
配線経路算出手段によって、算出された配置経路を出力する結果出力手段とを有し、
前記配線経路算出手段は、配置情報、モジュール情報および系統情報が取得されると、モジュール群ごとにモジュール間ケーブルの配線経路を、所定の計算アルゴリズムに従って算出するとともに、
各モジュール群から前記集約位置まで最短距離で延びる給電ケーブルの配置経路を算出することを特徴とする太陽電池モジュールの配線経路設計装置。
【請求項２】
前記結果出力手段は、各モジュール間ケーブルおよび各給電ケーブルが、相互に間隔をあけて配置されるように出力することを特徴とする請求項１記載の太陽電池モジュールの配線経路設計装置。
【請求項３】
前記結果出力手段は、複数の給電ケーブルが、相互に間隔をあけて集約位置に集約されるように出力することを特徴とする請求項１または２記載の太陽電池モジュールの配線経路設計装置。
【請求項４】
矩形板状に形成される太陽電池モジュールの幅方向が上下方向Ｙと平行になるように配置対象領域に配置され、長手方向が水平方向Ｘと平行になるように配置対象領域に配置され、
上下方向に隣接する２つの太陽電池モジュールのうち、軒側に配置される太陽電池モジュールの棟側端部が、棟側に配置される太陽電池モジュールの軒側端部に上方から重ねられる太陽電池発電装置における太陽電池モジュールの配線経路設計装置であって、
前記太陽電池モジュール情報取得手段は、
太陽電池モジュールのうちで、幅方向一方側の縁辺部を厚み方向に挿通する切欠きが形成される切欠き部の位置情報を取得し、
前記配線経路算出手段は、モジュール間ケーブルおよび給電ケーブルのいずれかを太陽電池モジュールの厚み方向に挿通させる配線経路を算出する場合、該ケーブルが、厚み方向に挿通させるべき太陽電池モジュールの切欠きを通過するように配線経路を算出することを特徴とする請求項１〜３のいずれか１つに記載の太陽電池モジュールの配線経路設計装置。
【請求項５】
前記配線経路算出手段は、
前記集約位置と、モジュール群とを結ぶ線分に対して、最も近い各太陽電池モジュールの切り欠きを通過するように、給電ケーブルの配線経路を算出することを特徴とする請求項４記載の太陽電池モジュールの配線経路設計装置。
【請求項６】
前記太陽電池モジュール情報取得手段は、
太陽電池モジュールのうちで、幅方向一方側の縁辺部を厚み方向に挿通する切欠きが形成される２つの切欠き部であって、太陽電池モジュールの長手方向両側にそれぞれ設けられる２つの切欠き部の位置情報を取得し、
前記配線経路算出手段は、
モジュール間ケーブルによって接続すべき２つの太陽電池モジュールが上下方向に隣接し、隣接する２つの太陽電池モジュールのうちで、下方の太陽電池モジュールが、配置領域のうちで水平方向一方端部に配置される場合に、モジュール間ケーブルが、下方の太陽電池モジュールの２つの切欠きのうちで、水平方向他方の切欠きを通過するように配線経路を算出することを特徴とする請求項４または５記載の太陽電池モジュールの配線経路設計装置。
【請求項７】
ケーブルを接続可能であり太陽電池モジュールの長手方向に並ぶ複数の接続端子を有する太陽電池モジュールの配線経路設計装置であって、
前記太陽電池モジュール情報取得手段は、接続端子の位置を示す情報を取得し、
前記配線経路算出手段は、
モジュール間ケーブルが、水平方向一方の接続端子から水平方向他方に延びる場合は、接続端子から水平方向一方に延びて第１の経路点を通過し、次に下方または上方に延びて第２の経路点を通過してから、水平方向他方に延びるように配線経路を算出することを特徴とする請求項１〜６のいずれか１つに記載の太陽電池モジュールの配線経路設計装置。
【発明の詳細な説明】
【０００１】
【発明の属する技術分野】
本発明は、複数の太陽電池モジュールを接続するケーブルの配線経路の設計を支援する設計装置に関する。なお本発明において、符号「＊」は、四則演算における乗算を表し、符号「／」は、四則演算の除算を表す。
【０００２】
【従来の技術】
従来の技術の太陽電池モジュールを接続するケーブルの配線経路設計は、屋根に配置される太陽電池モジュールの配置位置に基づいて、配線経路を手動で設計し、設計した配線経路を手書きまたは設計支援（Computer Aided Design：略称ＣＡＤ）装置を用いて、配線図として作成する。従来、切妻屋根に１種類の形状の太陽電池モジュールが配置される場合は、ケーブルの配線経路が単純であり、配線経路を対象屋根ごとに算出せずに、予め算出された配線経路を施工例として、設計施工手順書に記載する。
【０００３】
【発明が解決しようとする課題】
最近では、新築の住宅のうちの約７割が寄棟屋根である。寄棟屋根の場合、切妻屋根に比べて屋根構造が複雑であり、最適な発電電力を得るために、太陽電池モジュールの配置パターンが対象屋根ごとに異なる。また寄棟屋根は、各屋根面の大きさが切妻屋根に比べて小さく、要求される発電出力を確保するために、複数の屋根面に太陽電池モジュールを配置する必要がある。また寄棟屋根は、その屋根面の形状が、台形または三角形などの複雑な形状であり、太陽電池モジュールを接続するモジュール間ケーブルおよびモジュール群から供給先まで接続する給電ケーブルの配線経路が複雑になる。
【０００４】
したがって太陽電池モジュールを接続するケーブルの配線経路設計においても、屋根ごとに配線経路設計を設計する必要があり、屋根ごとに配線経路を示す設計施工手順書を作成する必要がある。
【０００５】
また太陽電池モジュールの数、各モジュール群、太陽電池モジュールが配置される屋根面数の変更などの設計変更のたびに、配線経路を再び設計し、配線図を作成し直す必要がある。また複数のサイズの太陽電池モジュールが用いられる場合は、配線経路がさらに複雑になる。
【０００６】
従来の技術の配線設計では、配線経路を手動で設計するので、上述のように各ケーブルの配線経路が複雑となる場合には、各ケーブルの配線経路の設計作業が困難であり、配線経路の設計に時間がかかるという問題がある。また寄棟屋根などの複雑な形状の屋根に太陽電池モジュールを配置する場合には、予め定められたケーブルの配線経路を用いることができず、屋根ごとに各ケーブルの配線経路が記載される配線図が必要となる。したがって屋根ごとに手作業で配線図を作成する必要があり、配線図の作成に非常に時間がかかるという問題がある。また設計変更のたびに、配線経路を再び設計し、配線図として作成し直す必要があり、配線経路の再設計とその配線図の再作成に時間がかかるという問題がある。
【０００７】
したがって本発明の目的は、太陽電池モジュールを配置するための設計作業において、太陽電池モジュールを電気的に接続するケーブルの配線経路を短時間で算出し、配線図を容易に作成することができる配線経路設計装置を提供することである。
【０００８】
【課題を解決するための手段】
本発明は、配置対象領域に配置される複数の太陽電池モジュールの配置位置を表す配置情報と、配置対象領域に設定される集約位置とを取得する太陽電池モジュール配置情報取得手段と、
太陽電池モジュール同士を電気的に接続するためのモジュール間ケーブルが接続される接続部の情報を含む各太陽電池モジュールに関するモジュール情報を取得する太陽電池モジュール情報取得手段と、
各太陽電池モジュールのうち少なくとも２つ以上から構成されるモジュール群に関する情報であって、各モジュール群における太陽電池モジュール同士を直列接続および並列接続のいずれによって接続するかを表す接続形態を含む系統情報を取得する系統情報取得手段と、
配置情報、モジュール情報および系統情報に基づいて、各モジュール群が有する太陽電池モジュール同士を電気的に接続するモジュール間ケーブルの配線経路と、各モジュール群によって得られた電力を供給先に導くための各給電ケーブルの配置経路とを算出する配線経路算出手段と、
配線経路算出手段によって、算出された配置経路を出力する結果出力手段とを有し、
前記配線経路算出手段は、配置情報、モジュール情報および系統情報が取得されると、モジュール群ごとにモジュール間ケーブルの配線経路を、所定の計算アルゴリズムに従って算出するとともに、
各モジュール群から前記集約位置まで最短距離で延びる給電ケーブルの配置経路を算出することを特徴とする太陽電池モジュールの配線経路設計装置である。
【０００９】
本発明に従えば、太陽電池モジュール配置情報取得手段が、複数の太陽電池モジュールの配置位置を表す配置情報を取得することができる。これによって各太陽電池モジュールが複雑に配置される場合であっても、各太陽電池モジュールの位置情報を取得し、太陽電池モジュール同士を接続するモジュール間ケーブルの配線経路を容易に算出することができる。また太陽電池モジュール情報取得手段が、各太陽電池モジュールの接続部の情報を取得することができるので、形状の異なる数種類の太陽電池モジュールが配置対象領域に配置される場合であっても、互いの太陽電池モジュールを接続するモジュール間ケーブルの配線経路を算出することができる。
【００１０】
モジュール群は、所定の条件を満たすように複数の太陽電池モジュールによって構成される。このようなモジュール群に関する情報を、系統情報取得手段が取得することによって、取得した系統情報が与えられた配線経路算出手段は、系統情報に基づいて、所定の条件を満たすモジュール間ケーブルの配線経路を算出することができる。たとえば所定の条件として、モジュール群の発電電力が予め定められた所定電力範囲内になるモジュール群に関する情報が与えられることによって、各モジュール群の発電電力が所定電力範囲内になるようなモジュール間ケーブルの配線経路を算出することができる。
また各取得手段によって各情報が取得されると、配線経路算出手段が、所定のアルゴリズムに従って、モジュール群ごとにモジュール間ケーブルの配線経路を算出する。これによって配線経路算出手段は、各情報取得後に、配線経路設計装置外部からの指示を必要とせずに配線経路を算出することができる。
また配線経路算出手段によって、各モジュール群から集約位置まで延びる給電ケーブルの最短距離の配線経路を算出する。これによって過剰な長さの給電ケーブルを配置対象領域に配置することなく、給電ケーブルの長さを短くすることができる。また各給電ケーブルを集約位置に集約することによって、集約位置から供給先に延びる各給電ケーブルの配線経路をほぼ同じにすることができ、太陽電池発電装置の施工が容易となるケーブルの配線経路を算出することができる。
【００１１】
また結果出力手段によって、配線経路を出力することができ、配線経路を施工者に容易に確認させることができる。たとえば配線経路は、ディスプレイ画面上に表示、配線図および見積書への印刷または通信手段への送信などの形態として出力することができる。
【００１６】
また本発明は、前記結果出力手段は、各モジュール間ケーブルおよび各給電ケーブルが、相互に間隔をあけて配置されるように出力することを特徴とする。
【００１７】
本発明に従えば、結果出力手段によって、各給電ケーブルおよび各モジュール間ケーブルが、相互に間隔をあけて配置されるので、出力される配線図において、各ケーブルが互いに重ならないようにすることができる。
また本発明は、前記結果出力手段は、複数の給電ケーブルが、相互に間隔をあけて集約位置に集約されるように出力することを特徴とする。
本発明に従えば、集約位置で集約されるであろう給電ケーブルが、相互に間隔をあけて配置されるので、出力される配線図において、各ケーブルが互いに重ならないようにすることができる。
また本発明は、矩形板状に形成される太陽電池モジュールの幅方向が上下方向Ｙと平行になるように配置対象領域に配置され、長手方向が水平方向Ｘと平行になるように配置対象領域に配置され、
上下方向に隣接する２つの太陽電池モジュールのうち、軒側に配置される太陽電池モジュールの棟側端部が、棟側に配置される太陽電池モジュールの軒側端部に上方から重ねられる太陽電池発電装置における太陽電池モジュールの配線経路設計装置であって、
前記太陽電池モジュール情報取得手段は、
太陽電池モジュールのうちで、幅方向一方側の縁辺部を厚み方向に挿通する切欠きが形成される切欠き部の位置情報を取得し、
前記配線経路算出手段は、モジュール間ケーブルおよび給電ケーブルのいずれかを太陽電池モジュールの厚み方向に挿通させる配線経路を算出する場合、該ケーブルが、厚み方向に挿通させるべき太陽電池モジュールの切欠きを通過するように配線経路を算出することを特徴とする。
本発明に従えば、各ケーブルが切欠きを通過する配線経路を算出することで、太陽電池モジュールが雨仕舞を行うために、上下に隣接する太陽電池モジュールが重ねられている場合であっても、太陽電池モジュール同士を接続する配線経路を算出可能であり、より現実的なケーブルの配線経路を算出することができる。
また本発明は、前記配線経路算出手段は、
前記集約位置と、モジュール群とを結ぶ線分に対して、最も近い各太陽電池モジュールの切り欠きを通過するように、給電ケーブルの配線経路を算出することを特徴とする。
本発明に従えば、集約位置とモジュール群とを結ぶ直線に対して、近い経路に沿って給電ケーブルを延ばすことができ、太陽電池モジュールが雨仕舞を行うために、上下に隣接する太陽電池モジュールが重ねられている場合であっても、より現実的なケーブルの配線経路を算出することができる。
また本発明は、前記太陽電池モジュール情報取得手段は、
太陽電池モジュールのうちで、幅方向一方側の縁辺部を厚み方向に挿通する切欠きが形成される２つの切欠き部であって、太陽電池モジュールの長手方向両側にそれぞれ設けられる２つの切欠き部の位置情報を取得し、
前記配線経路算出手段は、
モジュール間ケーブルによって接続すべき２つの太陽電池モジュールが上下方向に隣接し、隣接する２つの太陽電池モジュールのうちで、下方の太陽電池モジュールが、配置領域のうちで水平方向一方端部に配置される場合に、モジュール間ケーブルが、下方の太陽電池モジュールの２つの切欠きのうちで、水平方向他方の切欠きを通過するように配線経路を算出することを特徴とする。
本発明に従えば、モジュール間ケーブルを、配置対象領域の水平方後端部から離れた側の切り欠きに通過させることができ、モジュール間ケーブルが太陽電池モジュールから露出する部分を減らすことができる。これによって直射日光による紫外線劣化および雨による浸水を防止することができる。
また本発明は、ケーブルを接続可能であり太陽電池モジュールの長手方向に並ぶ複数の接続端子を有する太陽電池モジュールの配線経路設計装置であって、
前記太陽電池モジュール情報取得手段は、接続端子の位置を示す情報を取得し、
前記配線経路算出手段は、
モジュール間ケーブルが、水平方向一方の接続端子から水平方向他方に延びる場合は、接続端子から水平方向一方に延びて第１の経路点を通過し、次に下方または上方に延びて第２の経路点を通過してから、水平方向他方に延びるように配線経路を算出することを特徴とする。
本発明に従えば、モジュール間ケーブルが略Ｕ字状に延びることで、接続端子を避けて延びることになり、接続を希望しない接続端子にケーブルが接触することを防止することができる。
【００１８】
【発明の実施の形態】
図１は、本発明の実施の一形態の太陽電池モジュールの配線経路設計装置１を示すブロック図である。太陽光をエネルギー源として発電する太陽光発電装置は、複数の太陽電池モジュールが、屋根材として建築物の屋根面に配置される。太陽電池モジュールは、太陽光が照射されることによって発電する。太陽電池モジュールは、モジュール間ケーブルによって相互に直列に接続され、モジュール群を構成する。モジュール群を構成する太陽電池モジュールが発電した総電力は、パワーコンディショナの規定の電力範囲内に設定される。この電力は、給電ケーブルを介してパワーコンディショナに給電され、パワーコンディショナによって直流から交流に変換され、家庭用電力として利用される。
【００１９】
配線経路設計装置１（以下設計装置１という）は、太陽電池モジュールを電気的に接続するケーブルの配線経路を算出し出力する。ケーブルは、互いに隣接する太陽電池モジュールの接続部同士を相互に電気的に接続するモジュール間ケーブルと、太陽電池モジュールの各接続部から集約位置となる配線引出し口を通過し、電力供給先であるパワーコンディショナまで延びる給電ケーブルとに分類される。
【００２０】
設計装置１は、太陽電池モジュール配置情報取得手段２と、太陽電池モジュール情報取得手段３と、系統情報取得手段４と、配線経路算出手段５と、結果出力手段６とを有する。太陽電池モジュール配置情報取得手段２は、屋根に配置される複数の太陽電池モジュールの配置位置を表す配置情報を取得する。配置情報は、屋根のどの位置に、どの形状の太陽電池モジュールが配置されるのかを示す。太陽電池モジュール情報取得手段３は、太陽電池モジュールに形成される各部分の位置を表すモジュール情報を取得する。モジュール情報は、たとえばモジュール間ケーブルおよび給電ケーブルが接続される接続部と、切欠き部と、太陽電池モジュールの端部と、配線引き込み口部などの各部分の位置情報を含む。
【００２１】
系統情報取得手段４は、系統情報を取得する。系統情報は、各太陽電池モジュールのうちの少なくとも２つ以上から構成されるモジュール群に関する情報であって、モジュール群を構成する各太陽電池モジュールを表す情報と、モジュール群における太陽電池モジュール同士を直列および並列接続のいずれによって接続するかを表す情報とを含む。
【００２２】
配線経路算出手段５は、上述の太陽電池モジュール配置情報取得手段２、太陽電池モジュール情報取得手段３および系統情報取得手段４によって、取得された配置情報、モジュール情報および系統情報に基づいて、各モジュール間ケーブルおよび給電ケーブルの配線経路を算出する。結果出力手段６は、配線経路算出手段５が算出したモジュール間ケーブルおよび給電ケーブルの配線経路を出力する。
【００２３】
設計装置１は、たとえばパーソナルコンピュータなどのデータ演算および入出力可能なコンピュータによって実現される。各取得手段２，３，４は、キーボードまたはポインティングデバイスなどの、設計装置１外部からの入力情報を取得可能な入力部を含んで構成される。配線経路算出手段５は、演算処理ユニット（Central Processing Unit：略称 ＣＰＵ）などからなる演算処理を行う演算処理部と、演算の手順が記憶される読取専用記憶媒体（Read Only memory：略称 ＲＯＭ）などの演算手順記憶部とを含んで構成される。結果出力手段６は、プリンタおよびディスプレイなどからなり、配線経路を出力可能な出力部を含んで構成される。
【００２４】
図２は、屋根２０に配置された太陽電池モジュール２１を示す平面図である。太陽電池モジュール２１は、複数のサイズに形成され、配置対象領域である屋根に配置される。太陽電池モジュール２１は、配置される太陽電池モジュール２１の総面積が大きくなるように、サイズの異なる太陽電池モジュール２１が屋根の露出面を少なくなるように配置される。また複数の太陽電池モジュール２１は、モジュール群としてまとめられ、各モジュール群を構成する複数の太陽電池モジュール２１の総発電電力が、規定の電力範囲となるように設定される。
【００２５】
太陽電池モジュールが配置される配置対象領域は、たとえば屋根２０であり、台形形状に形成され、上底側の縁辺が棟２３となり、下底側の縁辺が軒２４となる。太陽電池モジュール２１は、屋根２０を予め定める第１方向Ｙに分割する複数の段領域にそれぞれ並んで配置される。また第１方向Ｙに直交する方向に第２方向Ｘが延び、本実施の形態では、屋根２２の軒２４および棟２３側縁辺が延びる水平方向が第２方向Ｘとなる。
【００２６】
図３は、屋根２０に配置された状態の複数の太陽電池モジュール２１を複数のモジュール群３０，３１，３２に分けた状態を示す平面図であり、図４は、屋根２０に配置された複数の太陽電池モジュール２１を識別するためのモジュール番号１０１〜１２１を付記して示す平面図である。
【００２７】
屋根２０に配置される太陽電池モジュール２１は、太陽電池モジュール２１を個別に識別するモジュール番号１０１〜１２１が付記される。また一つの太陽電池モジュール２１から始まり、隣接する太陽電池モジュール２１を順次通過し、屋根２０に配置されるすべての太陽電池モジュール２１を通過するモジュール列３３が形成される。モジュール列３３は、一筆書きになるように同じ太陽電池モジュール２１を２度通過することなく、すべての太陽電池モジュール２１を通過する。たとえばモジュール列３３は、最上段である第１段４０から最下段である第６段４５まで、略Ｓ字を描くように、ジグザグに延びる。
【００２８】
モジュール群３０，３１，３２は、複数の太陽電池モジュール２１によって構成される。また各モジュール群３０，３１，３２を構成する各太陽電池モジュール２１は、モジュール列３３に沿って延びるモジュール間ケーブルによって直列に接続される。各モジュール群３０，３１，３２を構成する太陽電池モジュール２１の数は、接続される太陽電池モジュール２１の総発電電力が、パワーコンディショナによって規定される所定の電力範囲内になる枚数に決定される。屋根２０に配置される太陽電池モジュール２１は、複数のモジュール群３０，３１，３２のうちのいずれか１つに属する。
【００２９】
各モジュール群３０を構成する太陽電池モジュール２１のうち、モジュール列３３が最初に通過する太陽電池モジュール２１を開始モジュール２１ａとし、最後に通過する太陽電池モジュール２１を終了モジュール２１ｂとする。モジュール列３３、開始および終了モジュール２１ａ，２１ｂ、モジュール群３０，３１，３２を表す情報は、系統情報に含まれる。
【００３０】
屋根２０に配置される太陽電池モジュール２１の配置位置および系統情報は、配線経路算出前に予め決定されている。系統情報取得手段４は、太陽電池モジュールごとにモジュール番号を付す。また系統情報取得手段４は、モジュール列３３およびモジュール群の情報に基づいて、開始モジュール２１ａおよび終了モジュール２１ｂとなる太陽電池モジュールのモジュール番号を取得する。
【００３１】
図５は、本発明の実施の形態に用いられる太陽電池モジュール２１を示す平面図である。太陽電池モジュール２１は、略矩形板状に形成される。太陽電池モジュール２１は、端子ボックス５３と、２箇所の切欠き５１，５２とが設けられる。また屋根２０に配置される太陽電池モジュール２１のうち少なくとも１つの太陽電池モジュール２１には、配線引き込み口５４が設けられる。
【００３２】
太陽電池モジュール２１は、屋根２０に配置された状態で、太陽光が照射される照射面に対して反対側の面に、モジュール間ケーブル３４および給電ケーブル３５と接続するための接続部となる端子ボックス５３が設けられる。端子ボックス５３は、太陽電池モジュール２１の長手方向一方側Ａ１に設けられ、複数の接続端子６１〜６６を備えている。
【００３３】
前記各切欠き５１，５２は、太陽電池モジュール２１の長手方向Ａ両端部寄りにそれぞれ設けられる。各切欠き５１，５２は、太陽電池モジュール２１の幅方向一方側Ｂ１の縁辺部５８に形成され、太陽電池モジュール２１を厚み方向に挿通し、太陽電池モジュール２１の外部に向かって開放して形成される。太陽電池モジュール２１の幅方向Ｂは、長手方向Ａと直交し、かつ厚み方向と直交する方向である。２つのうちの長手方向一方側Ａ１に設けられる一方の切欠き５２は、端子ボックス５３と幅方向Ｂに並んで設けられる。
【００３４】
各太陽電池モジュール２１の長手方向Ａ両端部５６，５７は、長手方向Ａにケーブル３４，３５が通過可能に形成される。配線引き込み口５４は、太陽電池モジュール２１の厚み方向に挿通し、複数の給電ケーブル３５が挿通可能な大きさに形成される。配線引き込み口５４によって太陽電池モジュール２１には、円筒状の空隙空間が形成される。
【００３５】
図６は、太陽電池モジュール２１の端子ボックス５３を示す平面図である。端子ボックス５３は、６つの接続端子６１，６２，６３，６４，６５，６６を備える。各接続端子６１〜６６は、端子ボックス５３の中心位置６８を囲み、太陽電池モジュール２１の長手方向Ａに平行な２つの辺と、幅方向Ｂに平行な２つの辺とを有する矩形６７の各辺上に配置される。
【００３６】
図６に示すように照射面側から見て、第１の接続端子６１は、太陽電池モジュール２１の長手方向他方側Ａ２でかつ、幅方向一方側Ｂ１に配置される。第２の接続端子６２は、太陽電池モジュール２１の長手方向他方側Ａ２でかつ、幅方向他方側Ｂ２に配置される。第３の接続端子６３は、太陽電池モジュール２１の端子ボックス５３の中心位置６８に対して、幅方向Ｂに並びかつ、中心位置から幅方向他方側Ｂ２に配置される。
【００３７】
第４の接続端子６４は、太陽電池モジュール２１の長手方向一方側Ａ１でかつ、幅方向他方側Ｂ２に配置される。第５の接続端子６５は、太陽電池モジュール２１の長手方向一方側Ａ１でかつ、幅方向一方側Ｂ１に配置される。第６の接続端子６６は、太陽電池モジュール２１の端子ボックス５３の中心位置６８に対して、幅方向Ｂに並びかつ、中心位置から幅方向一方側Ｂ１に配置される。
【００３８】
６つの接続端子６１〜６６は、すべて同じ構造で、その配置位置が異なる。したがって、複数のうちの１つの接続端子は、プラス側ケーブル３４ａ、マイナス側ケーブル３４ｂ、開始側給電ケーブル３５ａ、終了側給電ケーブル３５ｂのいずれのケーブルにも接続可能に形成される。接続端子は、少なくとも２つ以上設けられる。本実施の形態では、接続端子６１〜６６が端子ボックス５３の縁辺に沿って配置され、太陽電池モジュール幅方向Ｂに並ぶ２つの接続端子６１，６２；６４，６５を含む。
【００３９】
前記太陽電池モジュール情報取得手段３は、各切欠き５１，５２の位置情報と、端子ボックス５３の位置情報を備える端子ボックス情報と、配線引き込み口５４の位置情報と、太陽電池モジュールの長手方向Ａ両端部５６，５７の位置情報とを取得する。なお端子ボックス５３の位置情報は、モジュール間ケーブルが接続される接続端子６１〜６６の位置情報を含む。
【００４０】
図７は、寄棟屋根５０に配置される太陽電池モジュール２１を相互に接続する各モジュール間ケーブル３４の配線経路を示す平面図である。図７に示すように、太陽電池モジュール２１の長手方向Ａが、第２方向Ｘと平行になるように配置され、太陽電池モジュール２１の幅方向Ｂが、第１方向Ｙと平行になるように配置される。隣接する２つの太陽電池モジュール２１は、その各端子ボックス５３が、モジュール間ケーブル３４によって、相互に電気的に接続される。モジュール群を構成する複数の太陽電池モジュール２１は、各モジュール間ケーブル３４によって、直列に接続される。
【００４１】
複数の太陽電池モジュール２１は、たとえば屋根材一体型であり、屋根材として屋根に配置される。複数の太陽電池モジュール２１は、雨仕舞を行うために、目違いと呼ばれる上下列のジョイント部のずれを設ける。第１方向Ｙに隣接する２つの太陽電池モジュール２１のうち、軒２３側に配置される太陽電池モジュール２１の棟２４側端部が、棟２４側に配置される太陽電池モジュールの軒２３側端部に上方から重ねられる。第１方向Ｙに並ぶ太陽電池モジュール２１を接続するモジュール間ケーブル３４は、軒２４側の太陽電池モジュール２１の切欠きを通過して、２つの太陽電池モジュール２１を相互に接続する。またモジュール間ケーブル３４は、太陽電池モジュール２１の長手方向Ａ両端部５６，５７を通過して２つの太陽電池モジュール２１を相互に接続する。
【００４２】
２つの太陽電池モジュール２１を接続するモジュール間ケーブル３４は、開始モジュール２１ａ側に接続されるプラス側ケーブル３４ａと、終了モジュール２１ｂ側に接続されるマイナス側ケーブル３４ｂと、プラス側ケーブル３４ａおよびマイナス側ケーブル３４ｂの端部を着脱可能に接続するコネクタ３４ｃとを含んで構成される。
【００４３】
図８は、各給電ケーブル３５の配線経路を示す平面図である。給電ケーブルは、開始側給電ケーブル３５ａと終了側給電ケーブル３５ｂとに分類される。開始側給電ケーブル３５ａは、開始モジュール２１ａと図示しないパワーコンディショナとを接続する。終了側給電ケーブル３５ｂは、終了モジュール２１ｂと図示しないパワーコンディショナとを接続する。給電ケーブル３５は、太陽電池モジュール２１の各切欠き５１，５２および長手方向Ａ両端部５６，５７を通過する。給電ケーブル３５は、開始または終了モジュール２１ａ，２１ｂから集約位置である配線引き込み口５４に向かって延び、配線引き込み口５４で集約されてパワーコンディショナに接続される。
【００４４】
図９は、モジュール間ケーブル３４の配線経路を算出する工程を示すフローチャートである。ステップａ０で、太陽電池モジュール配置情報取得手段２、太陽電池モジュール情報取得手段３および系統情報取得手段４の各取得手段によって、各情報の取得が行われ、各情報の情報取得が完了するとステップａ１に進み、配線経路の算出工程が開始される。ステップａ１では、配線経路算出手段５が、モジュール間ケーブル３４によって接続される２つの太陽電池モジュールＭａ，Ｍｂが存在する段領域を調べ、２つの太陽電池モジュールが同一の段領域に存在するか否かを判断する。配線経路算出手段５は、判断結果を記憶し、ステップａ２に進む。ステップａ２では、配線経路算出手段５が、モジュール間ケーブルによって接続される２つの太陽電池モジュールＭａ，Ｍｂの互いの位置関係を調べ、互いの太陽電池モジュールＭａ，Ｍｂの左右方向および上下方向の相対的な位置を判断する。以下第１方向Ｙを上下方向とし、第２方向Ｘを左右方向と呼ぶことがある。配線経路算出手段５は、判断結果を記憶し、ステップａ３に進む。
【００４５】
ステップａ３では、配線経路算出手段が、プラス側ケーブル３４ａが接続される２つのうちの一方の太陽電池モジュールＭａが開始モジュール２１ａであるか否かを判断し、判断結果を記憶し、ステップａ４に進む。ステップａ４では、ステップａ１〜ａ４に記憶した情報から、モジュール間ケーブル３４が通過する各経路点を算出し、経路点の算出が完了すればステップａ５に進む。ステップａ５では、各経路点を結んで、プラス側ケーブル３４ａの配線経路ＰＯＬＹ１およびマイナス側ケーブル３４ｂの配線経路ＰＯＬＹ２を算出し、ステップａ６に進む。配線経路は、隣り合う経路点を結ぶ線分の端部同士をつなぐ、一本の折れ線となる。ステップａ６では、モジュール間ケーブル３４の配線経路算出工程が終了する。
【００４６】
図１０は、プラス側ケーブル３４ａが接続される太陽電池モジュールＭａが、開始モジュール２１ａであり、マイナス側ケーブル３４ｂが接続される太陽電池モジュールＭｂよりも右側Ｘ１に配置される場合のモジュール間ケーブル３４の配線経路を示す平面図である。
【００４７】
本実施例では、モジュール番号ｎが付記された太陽電池モジュールに設けられている端子ボックス５３の６つの接続端子６１〜６６の位置情報をＴＢＯＸｎ_１〜ＴＢＯＸｎ_６とする。また屋根面を含む仮想一平面において、予め所定の位置に原点Ｏを定め、第２の方向Ｘに延び、かつ原点Ｏを通過する軸線をＸ軸とし、第１の方向Ｙに延び、かつ原点Ｏを通過する軸線をＹ軸とする。原点Ｏは、屋根面よりも外に設けられ、原点Ｏから見て屋根面は、Ｘ軸およびＹ軸ともに正の位置に設定される。以下図に示すように、Ｘ軸の値が増加する方向を右側とし、Ｘ軸の値が減少する方向を左側とし、またＹ軸の値が増加する方向を上側とし、Ｙ軸の値が減少する方向を下側とする。
【００４８】
第１の接続端子６１の位置情報は、原点Ｏから第１の接続端子６１までのＸ軸座標およびＹ軸座標を示す情報を含む。たとえばモジュール番号がａである第１の接続端子６１のＸ座標は、ＴＢＯＸａ_１_Ｘと表し、第１端子６１のＹ座標の接続端子のＹ座標は、ＴＢＯＸａ_１_Ｙと表す。したがってモジュール番号がａである第１の接続端子６１の座標位置は次式によって表される。
ＴＢＯＸａ_１＝（ＴＢＯＸａ_１_Ｘ ，ＴＢＯＸａ_１_Ｙ）    …（１）
【００４９】
このように各経路点において、_Ｘを付すことによって経路点のＸ座標を示し、_Ｙと付すことによって経路点のＹ座標を示す。またモジュール番号としてｎが付記された太陽電池モジュール２１が屋根に配置された状態で、太陽電池モジュールの右側Ｘ１に形成される切欠き５２の中心位置の座標位置をＭｎ_ＰＲとし、左側Ｘ２に形成される切欠き５１の中心位置の座標位置をＭｎ_ＰＬとする。図５に示すように、各切欠き５１，５２の中心位置Ｍｎ_ＰＲ，Ｍｎ_ＰＬは、各切欠きの上辺の中心位置である。したがって中心位置Ｍｎ_ＰＲ，Ｍｎ_ＰＬのＸ座標は、原点Ｏから切欠き５１，５２の長手方向Ａ中央位置までのＸ軸方向の距離であり、Ｙ座標は原点Ｏから太陽電池モジュール２１の幅方向一方側縁辺までのＹ軸方向の距離である。またモジュール番号としてｎが付記された太陽電池モジュール２１が屋根に配置された状態で、太陽電池モジュール２１の右側Ｘ１端部の幅方向Ｂ寸法の中央位置の座標位置をＭｎ_ＳＲとし、太陽電池モジュール２１の左側Ｘ２端部の幅方向Ｂ寸法の中央位置の座標位置をＭｎ_ＳＬとする。また２つの太陽電池モジュール２１を接続するモジュール間ケーブル３４のプラス側ケーブル３４ａの配線経路をＰＯＬＹ１とし、マイナス側ケーブル３４ｂの配線経路をＰＯＬＹ２とする。
【００５０】
ステップｓ４およびステップｓ５に示す各経路点およびモジュール間ケーブル３４の配線経路を算出する工程では、対象とする２つの太陽電池モジュールのモジュール番号をａ、ｂとし、２つの太陽電池モジュール２１のうち開始モジュール２１ａまたは開始モジュール側２１ａの太陽電池モジュールＭａにモジュール番号ａを付記し、終了モジュール２１ｂまたは終了モジュール２１ｂ側の太陽電池モジュールＭｂにモジュール番号ｂを付記する。
【００５１】
プラス側ケーブル３４ａは、開始モジュール２１ａまたは開始モジュール２１ａ側の太陽電池モジュールＭａの接続端子の座標位置に設定されるＳＰ経路点と、コネクタ３４ｃが配置される座標位置に設定されるＣＰ経路点とを結び、マイナス側ケーブル３４ｂは、ＣＰ経路点と、終了モジュール２１ｂまたは終了モジュール２１ｂ側の太陽電池モジュールＭｂの接続端子の座標位置に設定されるＥＰ経路点とを結ぶ。
【００５２】
プラス側ケーブル３４ａは、ＳＰ経路点とＣＰ経路点とを結ぶ間に、複数の他の経路点を通過する場合がある。またプラス側ケーブル３４ａとマイナス側ケーブル３４ｂとは、ＣＰ経路点で互いに接続される。したがって配線経路は、２つの経路点を結ぶ線分、または複数の線分の端部同士が連結される折れ線となる。
【００５３】
たとえば３つの経路点、ｑ０経路点、ｑ１経路点、ｑ２経路点を考えた場合、ｑ０経路点およびｑ１経路点を結ぶ線分Ｑ１を（２）式のように表し、ｑ０経路点およびｑ１経路点を結ぶ線分のｑ１側端部と、ｑ１経路点およびｑ２経路点を結ぶ線分のｑ１側端部とが連結される折れ線Ｑ２を次式（３）のように表す。
Ｑ１＝｛ｑ０ ｑ１｝                                     …（２）
Ｑ２＝｛ｑ０ ｑ１ ，ｑ１ ｑ２｝                         …（３）
【００５４】
図１０に示す場合の各経路点の座標位置を次式に示す。同一の段領域にある２つの太陽電池モジュールＭａ、Ｍｂを接続するモジュール間ケーブル３４は、直線に延びる。ここで「ＳＰ」はＳＰ経路点の座標を示し、「ＥＰ」はＥＰ経路点の座標を示し、「ＣＰ」はＣＰ経路点の座標を示す。
ＳＰ＝（ＴＢＯＸａ_１_Ｘ ，ＴＢＯＸａ_１_Ｙ）
ＥＰ＝（ＴＢＯＸｂ_５_Ｘ ，ＴＢＯＸｂ_５_Ｙ）
ＣＰ＝（１／２）＊（ＳＰ＋ＥＰ）
【００５５】
またプラス側およびマイナス側ケーブル３４ａ，３４ｂの配線経路ＰＯＬＹ１，ＰＯＬＹ２を次式に示す。ここで「ＰＯＬＹ１」は、プラス側ケーブル３４ａの経路を示し、「ＰＯＬＹ２」は、マイナス側ケーブル３４ｂの経路を示す。
ＰＯＬＹ１＝｛ＳＰ ＣＰ｝
ＰＯＬＹ２＝｛ＣＰ ＥＰ｝
【００５６】
図１１は、プラス側ケーブル３４ａが接続される太陽電池モジュールＭａが、開始モジュール２１ａとは異なり、マイナス側ケーブル３４ｂが接続される太陽電池モジュールＭｂよりも右側Ｘ１に配置される場合のモジュール間ケーブル３４の配線経路を示す平面図である。この場合の各経路点の座標位置を次式に示す。
ＳＰ＝（ＴＢＯＸａ_２_Ｘ ，ＴＢＯＸａ_２_Ｙ）
ＥＰ＝（ＴＢＯＸｂ_４_Ｘ ，ＴＢＯＸｂ_４_Ｙ）
ＣＰ＝（１／２）＊（ＳＰ＋ＥＰ）
【００５７】
またプラス側およびマイナス側ケーブル３４ａ，３４ｂの配線経路ＰＯＬＹ１，ＰＯＬＹ２を次式に示す。
ＰＯＬＹ１＝｛ＳＰ ＣＰ｝
ＰＯＬＹ２＝｛ＣＰ ＥＰ｝
【００５８】
図１２は、プラス側ケーブル３４ａが接続される太陽電池モジュールＭａが、開始モジュール２１ａであり、マイナス側ケーブル３４ｂが接続される太陽電池モジュールＭｂよりも左側Ｘ２に配置される場合のモジュール間ケーブル３４の配線経路を示す平面図である。この場合の各経路点の座標位置を次式に示す。
ＳＰ＝（ＴＢＯＸａ_５_Ｘ ，ＴＢＯＸａ_５_Ｙ）
ＥＰ＝（ＴＢＯＸｂ_１_Ｘ ，ＴＢＯＸｂ_１_Ｙ）
ＣＰ＝（１／２）＊（ＳＰ＋ＥＰ）
【００５９】
またプラス側およびマイナス側ケーブル３４ａ，３４ｂの配線経路ＰＯＬＹ１，ＰＯＬＹ２を次式に示す。
ＰＯＬＹ１＝｛ＳＰ ＣＰ｝
ＰＯＬＹ２＝｛ＣＰ ＥＰ｝
【００６０】
図１３は、プラス側ケーブル３４ａが接続される太陽電池モジュールＭａが、開始モジュール２１ａとは異なり、マイナス側ケーブル３４ｂが接続される太陽電池モジュールＭｂよりも左側Ｘ２に配置される場合のモジュール間ケーブル３４の配線経路を示す平面図である。この場合の各経路点の座標位置を次式に示す。
ＳＰ＝（ＴＢＯＸａ_４_Ｘ ，ＴＢＯＸａ_４_Ｙ）
ＥＰ＝（ＴＢＯＸｂ_２_Ｘ ，ＴＢＯＸｂ_２_Ｙ）
ＣＰ＝（１／２）＊（ＳＰ＋ＥＰ）
【００６１】
またプラス側およびマイナス側ケーブル３４ａ，３４ｂの配線経路ＰＯＬＹ１，ＰＯＬＹ２を次式に示す。
ＰＯＬＹ１＝｛ＳＰ ＣＰ｝
ＰＯＬＹ２＝｛ＣＰ ＥＰ｝
【００６２】
２つの太陽電池モジュールＭａ，Ｍｂが同じ段領域に配置されない場合は、図１４〜図１７に示すように２つの太陽電池モジュールＭａ，Ｍｂが上下に隣接する段領域に配置され、屋根２０の右側Ｘ１または左側Ｘ２の端部に配置される。
【００６３】
図１４および図１６に示すようにマイナス側ケーブル３４ｂが接続される太陽電池モジュールＭｂが、屋根２０の左側Ｘ２端部に配置される場合、配線経路算出手段５は、マイナス側ケーブル３４ｂが接続される太陽電池モジュールＭｂの右側Ｘ１の切欠き５２を通る配線経路を算出する。また図１５および図１７に示すようにマイナス側ケーブル３４ｂが接続される太陽電池モジュールＭｂが、屋根２０の右側Ｘ１端部に配置される場合、配線経路算出手段５は、マイナス側ケーブル３４ｂが接続される太陽電池モジュールＭｂの左側Ｘ２の切欠き５１を通る配線経路を算出する。
【００６４】
たとえばマイナス側ケーブル３４ｂが接続される太陽電池モジュールＭｂが、段領域の左端に配置される場合は、プラス側ケーブル３４ａは、右側Ｘ１の切り欠き５２を通過する。また前記太陽電池モジュールＭｂが、段領域の右端に配置される場合は、プラス側ケーブル３４ａは、左側Ｘ２の切り欠き５１を通過する。このように屋根の側方端部から離れた側の切欠きにプラス側ケーブル３４ａを通過させることによって、プラス側ケーブル３４ａが、屋根面に露出する部分を減らし、直射日光による紫外線劣化および雨による浸水を防止することができる。
【００６５】
図１４は、プラス側ケーブル３４ａが接続される太陽電池モジュールＭａの第２の接続端子６２の座標位置ＴＢＯＸａ_２が、マイナス側ケーブル３４ｂが接続される太陽電池モジュールＭｂの右側Ｘ１の切欠き５２よりも右側Ｘ１にあり、その右側Ｘ１の切欠き５２をプラス側ケーブル３４ａが通過する場合、言い換えるとＴＢＯＸａ_２_Ｘ＞Ｍｂ_ＰＲ_Ｘとなる場合、さらに言い換えるとマイナス側ケーブル３４ｂが接続される太陽電池モジュールＭｂが屋根２０の左側Ｘ２の端部にある場合のモジュール間ケーブル３４の配線経路を示す平面図である。このときの各経路点の座標位置を次式に示す。
ＳＰ＝（ＴＢＯＸａ_２_Ｘ ，ＴＢＯＸａ_２_Ｙ）
Ｐ１＝（Ｍｂ_ＰＲ_Ｘ ，ＴＢＯＸａ_２_Ｙ）
ＥＰ＝（ＴＢＯＸｂ_６_Ｘ ，ＴＢＯＸｂ_６_Ｙ）
ＣＰ＝（Ｐ１_Ｘ ，ＴＢＯＸｂ_６_Ｙ＋ｄ）
ただしｄ＝（１／２）＊｜ Ｍｂ_ＰＲ_Ｙ−ＴＢＯＸｂ_６_Ｙ ｜
【００６６】
ＣＰ経路点の位置は、ＣＰ＝（１／２）＊（Ｐ１＋ＥＰ）としてもよい。またプラス側およびマイナス側ケーブル３４ａ，３４ｂの配線経路ＰＯＬＹ１，ＰＯＬＹ２を次式に示す。
ＰＯＬＹ１＝｛ＳＰ Ｐ１，Ｐ１ ＣＰ｝
ＰＯＬＹ２＝｛ＣＰ ＥＰ｝
【００６７】
図１５は、プラス側ケーブル３４ａが接続される太陽電池モジュールＭａの、第２の接続端子６２の座標位置ＴＢＯＸａ_２が、マイナス側ケーブル３４ｂが接続される太陽電池モジュールＭｂの左側Ｘ２の切欠きＭｂ_ＰＬよりも右側Ｘ１にあり、左側Ｘ２の切欠き５１をプラス側ケーブル３４ａが通過する場合、言い換えるとＴＢＯＸａ_２_Ｘ＞Ｍｂ_ＰＬ_Ｘとなる場合、さらに言い換えるとマイナス側ケーブル３４ｂが接続される太陽電池モジュールＭｂが屋根２０の右端Ｘ１にある場合のモジュール間ケーブル３４の配線経路を示す平面図である。図１５（１）は、２つの太陽電池モジュールＭａ，ＭｂがＸ軸方向にずれており、図１５（２）は、２つの太陽電池ＭジュールＭａ，ＭｂがＸ軸方向に揃っている状態を示す。図１５（１）および図１５（２）に示す状態のときの各経路点の座標位置を次式に示す。
ＳＰ＝（ＴＢＯＸａ_２_Ｘ ，ＴＢＯＸａ_２_Ｙ）
Ｐ１＝（Ｍｂ_ＰＬ_Ｘ ，ＴＢＯＸａ_２_Ｙ）
Ｐ２＝（Ｍｂ_ＰＬ_Ｘ ，ＴＢＯＸｂ_１_Ｙ）
ＥＰ＝（ＴＢＯＸｂ_１_Ｘ ，ＴＢＯＸｂ_１_Ｙ）
ＣＰ＝（ＴＢＯＸｂ_１_Ｘ−ｄ ，ＴＢＯＸｂ_１_Ｙ）
ただしｄ＝（１／２）＊｜ Ｍｂ_ＰＬ_Ｘ−ＴＢＯＸｂ_１_Ｘ ｜
【００６８】
またプラス側およびマイナス側ケーブル３４ａ，３４ｂの配線経路ＰＯＬＹ１，ＰＯＬＹ２を次式に示す。
ＰＯＬＹ１＝｛ＳＰ Ｐ１，Ｐ１ Ｐ２，Ｐ２ ＣＰ｝
ＰＯＬＹ２＝｛ＣＰ ＥＰ｝
【００６９】
図１６は、プラス側ケーブル３４ａが接続される太陽電池モジュールＭａの第２の接続端子６２の座標位置ＴＢＯＸａ_２が、マイナス側ケーブル３４ｂが接続される太陽電池モジュールＭｂの右側Ｘ１の切欠き５２の座標位置Ｍｂ_ＰＲよりも右側Ｘ１になく、右側Ｘ１の切欠き５２をプラス側ケーブル３４ａが通過する場合、言い換えるとＴＢＯＸａ_２_Ｘ≦Ｍｂ_ＰＲ_Ｘとなる場合、さらに言い換えるとマイナス側ケーブル３４ｂが接続される太陽電池モジュールＭｂが屋根２０の左端Ｘ２にある場合のモジュール間ケーブル３４の配線経路を示す平面図である。図１６（１）は、２つの太陽電池モジュールＭａ，ＭｂがＸ軸方向にずれており、図１６（２）は、２つの太陽電池ＭジュールＭａ，ＭｂがＸ軸方向に揃っている状態を示す。
【００７０】
６つの接続端子のうち左側Ｘ２の接続端子６１，６２から右側Ｘ1にプラス側ケーブル３４ａが延びる場合は、プラス側ケーブル３４ａは、右側Ｘ１の接続端子６４，６５に接触することを防止するために、左側Ｘ２に延びたＰ１経路点を通過し、次に下方または上方に延びて、Ｐ２経路点を通過し、次に右側Ｘ１の接続端子６４，６５の上方または下方を通過して、右側Ｘ１に延びる。
【００７１】
このように左側Ｘ２の接続端子から延びるプラス側ケーブル３４ａがＵ字状に延びて、右側Ｘ１に延びる。また同様に右側Ｘ１の接続端子６４，６５からプラス側ケーブル３４ａがＵ字状に延びて、左側Ｘ２に延びることによって、プラス側ケーブル３４ａが接続を希望しない接続端子に接触することを防止することができる。図１６（１）および図１６（２）に示す状態の各経路点の座標位置を次式に示す。
ＳＰ＝（ＴＢＯＸａ_２_Ｘ ，ＴＢＯＸａ_２_Ｙ）
Ｐ１＝（ＴＢＯＸａ_２_Ｘ−ｄ ，ＴＢＯＸａ_２_Ｙ）
Ｐ２＝（Ｐ１_Ｘ ，Ｐ１_Ｙ−ｄ）
Ｐ３＝（Ｍｂ_ＰＲ_Ｘ ，Ｐ２_Ｙ）
ＣＰ＝（Ｐ３_Ｘ ，ＴＢＯＸｂ_６_Ｙ＋ｄ）
ＥＰ＝（ＴＢＯＸｂ_６_Ｘ ，ＴＢＯＸｂ_６_Ｙ）
ただしｄ＝（１／２）＊｜ Ｍｂ_ＰＲ_Ｙ−ＴＢＯＸｂ_６_Ｙ ｜
【００７２】
またプラス側およびマイナス側ケーブル３４ａ，３４ｂの配線経路ＰＯＬＹ１，ＰＯＬＹ２を次式に示す。
ＰＯＬＹ１＝｛ＳＰ Ｐ１，Ｐ１ Ｐ２，Ｐ２ Ｐ３，Ｐ３ ＣＰ｝
ＰＯＬＹ２＝｛ＣＰ ＥＰ｝
【００７３】
図１７は、プラス側ケーブル３４ａが接続される太陽電池モジュールＭａの第２の接続端子６２の座標位置ＴＢＯＸａ_２が、マイナス側ケーブル３４ｂが接続される太陽電池モジュールＭｂの左側Ｘ２の切欠き５１の座標位置Ｍｂ_ＰＬよりも右側Ｘ１になく、左側Ｘ２の切欠き５１をプラス側ケーブル３４ａが通過する場合、言い換えるとＴＢＯＸａ_２_Ｘ≦Ｍｂ_ＰＬ_Ｘとなる場合、さらに言い換えるとマイナス側ケーブル３４ｂが接続される太陽電池モジュールＭｂが屋根２０の右端Ｘ１にある場合のモジュール間ケーブル３４の配線経路を示す平面図である。このときの各経路点の座標位置を次式に示す。
ＳＰ＝（ＴＢＯＸａ_２_Ｘ ，ＴＢＯＸａ_２_Ｙ）
Ｐ１＝（ＴＢＯＸａ_２_Ｘ−ｄ，ＴＢＯＸａ_２_Ｙ）
Ｐ２＝（Ｐ１_Ｘ，Ｐ１_Ｙ−ｄ）
Ｐ３＝（Ｍｂ_ＰＬ_Ｘ，Ｐ２_Ｙ）
Ｐ４＝（Ｐ３_Ｘ，ＴＢＯＸｂ_１_Ｙ）
ＣＰ＝（ＴＢＯＸｂ_１_Ｘ−ｄ，ＴＢＯＸｂ_１_Ｙ）
ＥＰ＝（ＴＢＯＸｂ_１_Ｘ ，ＴＢＯＸｂ_１_Ｙ）
ただしｄ＝（１／２）＊| Ｍｂ_ＰＲ_Ｙ−ＴＢＯＸｂ_６_Ｙ |
【００７４】
またプラス側およびマイナス側ケーブル３４ａ，３４ｂの配線経路ＰＯＬＹ１，ＰＯＬＹ２を次式に示す。
ＰＯＬＹ１＝｛ＳＰ Ｐ１，Ｐ１ Ｐ２，Ｐ２ Ｐ３，Ｐ３ Ｐ４，Ｐ４ ＣＰ｝
ＰＯＬＹ２＝｛ＣＰ ＥＰ｝
【００７５】
以上のように屋根に配置される２つの太陽電池モジュールＭａ，Ｍｂを接続するモジュール間ケーブル３４の配線経路が算出された後に、モジュール間ケーブル３４の配線経路が示される配線図が算出される。配線図は、各モジュール間ケーブルが、互いに重ならないように、間隔をあけて出力される。
【００７６】
次に給電ケーブル３５の配線経路を算出する工程について説明する。モジュール群ごとに、開始および終了モジュール２１ａ，２１ｂが設けられるので、配線引き込み口５４に延びる給電ケーブル３５の数は、モジュール群の数の２倍となる。給電ケーブル３５の配線経路は、経路リストＰａｔｈ（ｉ）に基づいて算出される。経路リストＰａｔｈ（ｉ）は、給電ケーブル３５が通過する太陽電池モジュール２１を識別するモジュール番号と、その太陽電池モジュール２１の切欠きまたは長手方向端部の座標位置Ｍ_ＰＬ，Ｍ_ＰＲ，Ｍ_ＳＬ，Ｍ_ＳＲである経路点情報とを要素とする。
【００７７】
配線経路算出手段５は、給電ケーブル３５の配線経路を、上述のモジュール番号と経路点情報とを算出し、経路リストＰａｔｈ（ｉ）に記憶する。経路リストＰａｔｈ（ｉ）は、給電ケーブル３５が通過するモジュール番号とその経路点情報とを組として、給電ケーブルが通過するすべての太陽電池モジュールのモジュール番号と経路点情報を列記し、Ｐａｔｈ（ｉ）＝（（モジュール番号、経路点情報），（モジュール番号、経路点情報），…）と表す。配線引き込み口５４の中心５９の座標位置をＯＰとする。
【００７８】
給電ケーブル３５の配線経路算出工程は、まず各給電ケーブル３５が接続される端子ボックス５３を検索し、ｉ番目の端子ボックスＴＢＯＸ（ｉ）を検索する。次に検索した端子ボックスのうち１番目の端子ボックスから最後の端子ボックスに接続される給電ケーブル３５の配線経路を順に算出する。また給電ケーブル３５の配線経路算出工程は、対象とする端子ボックスＴＢＯＸ（ｉ）が配線引き込み口５４よりも上方の段領域にある場合と、下方または同一段領域にある場合とで、配線経路を算出する工程が異なる。
【００７９】
図１８は、モジュール間ケーブル３４ａ，３４ｂによって、接続される４つの太陽電池モジュールＭａ、Ｍｂ，Ｍｃ，Ｍｄを示し、４つのうちの１つの太陽電池モジュールＭｂに接続される２つのモジュール間ケーブル３４が、前記太陽電池モジュールＭｂの端子ボックス５３からＸ軸方向同方向に延びる状態を示す平面図である。
【００８０】
Ｙ軸方向Ｙに並ぶ２つの太陽電池モジュールＭａ，Ｍｂがケーブル３４によって電気的に連結される場合、Ｙ軸方向一方Ｙ１の太陽電池モジュールＭａの端子ボックス５３の接続端子のうちＹ軸方向他方Ｙ２側の接続端子と、Ｙ軸方向他方Ｙ２の太陽電池モジュールＭｂの端子ボックス５３の接続端子のうちＹ軸方向一方側Ｙ１の接続端子とが接続される。またＹ軸方向他方Ｙ２の太陽電池モジュールＭｂの端子ボックス５３のうち、Ｙ軸方向に並ぶ２つの接続端子６１，６２に、２つのモジュール間ケーブル３４がそれぞれ接続される。
【００８１】
これによって、Ｙ軸方向他方Ｙ２の太陽電池モジュールＭｂに接続される２つのケーブルが、Ｘ軸方向一方Ｘ１にともに延びる場合であっても、２つのモジュール間ケーブル３４をＹ軸方向に間隔をあけて配置させることができ、ケーブル同士が交差することがなく、表示される配線経路を見やすくすることができる。
【００８２】
図１９は、配線引き込み口５４よりも上方にある端子ボックスＴＢＯＸ（ｉ）に、接続される給電ケーブル３５の配線経路を算出する工程を示すフローチャートである。ステップｂ０で、配線経路算出手段５が、対象とするｉ番目の端子ボックスＴＢＯＸ（ｉ）を選択し、配線引き込み口５４よりも端子ボックスＴＢＯＸ（ｉ）が上方にあると判断すると、ステップｂ１に進み、給電ケーブル３５の配線経路を算出する工程が開始される。ステップｂ１では、配線経路算出手段５が、配線引き込み口５４の中心座標ＯＰ_Ｐと端子ボックスＴＢＯＸ（ｉ）の中心座標ＴＢＯＸ（ｉ）_Ｐとを結ぶ線分を算出し、ステップｂ２に進む。
【００８３】
ステップｂ２では、配線経路算出手段５が、配線引き込み口５４の中心座標ＯＰ_Ｐを変数Ｐに設定し、ステップｂ３に進む。ステップｂ３では、配線経路算出手段５が、変数Ｐの座標位置に存在する太陽電池モジュール２１のモジュール番号を調べ、そのモジュール番号を変数ｎに代入し、ステップｂ４に進む。
【００８４】
ステップｂ４では、配線経路算出手段４が、変数ｎのモジュール番号を持つ太陽電池モジュールＭｎが、ｉ番目の端子ボックスＴＢＯＸ（ｉ）と同じ段領域に配置されているか否かを判断する。太陽電池モジュールＭｎが、ｉ番目の端子ボックスＴＢＯＸ（ｉ）と同じ段領域に配置されていると判断したならば、ステップｂ８に進み、異なる段領域に配置されていると判断したならばステップｂ５に進む。
【００８５】
ステップｂ５では、配線経路算出手段５が、太陽電池モジュールＭｎの上方側縁辺と、ステップｂ１で算出した線分との交点Ｚを算出し、ステップｂ６に進む。ステップｂ６では、配線経路算出手段５が、前記交点Ｚの情報に応じて、最短距離となる給電ケーブル３５の配線経路を算出し、給電ケーブル３５が通過する太陽電池モジュールＭｎの切欠きの情報を算出する。配線経路算出手段３５は、太陽電池モジュールのモジュール番号と切欠きの情報とを一組にして経路リストＰａｔｈ（ｉ）に記憶し、ステップｂ７に進む。具体的には、ステップｂ６は、前記交点ＺのＸ座標が、変数ＰのＸ座標よりも小さければ、太陽電池モジュールＭｎに付記されたモジュール番号と、右側Ｘ１の切欠き５２の座標位置Ｍｎ_ＰＲとを経路リストＰａｔｈ（ｉ）に記憶し、また前記交点ＺのＸ座標が、変数ＰのＸ座標よりも多きければ、太陽電池モジュールＭｎに付記されたモジュール番号と、左側Ｘ２の切欠き５１の座標位置Ｍｎ_ＰＬとを一組として経路リストＰａｔｈ（ｉ）に記憶する。
【００８６】
ステップｂ７では、配線経路算出手段５が、ステップｂ６で、算出した給電ケーブル３５が通過する切欠きの座標位置を変数Ｐとして新たに代入し、前記切欠きの上方に配置され、前記切欠きに臨んで配置される太陽電池モジュールに付記されるモジュール番号を求め、そのモジュール番号を新たに変数ｎとして代入し、ステップｂ４に戻る。
【００８７】
ステップｂ４では、モジュール番号としてｎが付記された太陽電池モジュールＭｎと、対象とする端子ボックスＴＢＯＸ（ｉ）が同じ段領域である場合、ステップｂ８に進む。ステップｂ８では、配線経路算出手段５が、太陽電池モジュールＭｎに、対象とする端子ボックスＴＢＯＸ（ｉ）が設けられるか否かを判断する。太陽電池モジュールＭｎに、端子ボックスＴＢＯＸ（ｉ）が設けられていると判断すると、ステップｂ１０に進み、太陽電池モジュールＭｎに端子ボックスＴＢＯＸ（ｉ）が設けられていないと判断するとステップｂ９に進む。
【００８８】
ステップｂ９では、配線経路算出手段５が、太陽電池モジュールＭｎと、端子ボックスＴＢＯＸ（ｉ）に向かう方向の太陽電池モジュールＭｎの端部の情報とを経路リストＰａｔｈ（ｉ）に記憶し、太陽電池モジュールＭｎのＴＢＯＸ（ｉ）に向かう方向に隣接する太陽電池モジュールのモジュール番号を新しく変数ｎに代入し、ステップｂ８にもどる。ステップｂ９を詳しく説明すると、端子ボックスＴＢＯＸ（ｉ）が、太陽電池モジュールＭｎよりも左側Ｘ２にある場合、モジュール番号ｎの値と、太陽電池モジュールＭｎの左側Ｘ２端部５６の座標位置Ｍｎ_ＳＬとを一組として、経路リストＰａｔｈ（ｉ）に記憶する。また端子ボックスＴＢＯＸ（ｉ）が太陽電池モジュールＭｎよりも右側Ｘ１にある場合、モジュール番号ｎの値と、太陽電池モジュールＭｎの右側Ｘ１端部５７の座標位置Ｍｎ_ＳＲとを一組として、経路リストＰａｔｈ（ｉ）に記憶する。次に配線経路算出手段５は、太陽電池モジュールＭｎから端子ボックスＴＢＯＸ（ｉ）に向かう方向に隣接する太陽電池モジュールのモジュール番号を新しく変数ｎにする。
【００８９】
ステップｂ１０では、モジュールＭｎに付記されたモジュール番号を経路リストＰａｔｈ（ｉ）に追加し、経路リストＰａｔｈ（ｉ）を完成させ、ステップｂ１１に進む。ステップｂ１１では、配線引き込み口５４よりも上方にある端子ボックスＴＢＯＸ（ｉ）に接続する給電ケーブル３５の配線経路算出工程が終了する。
【００９０】
図２０は、配線引き込み口５４よりも下方または同一段にある端子ボックスＴＢＯＸ（ｉ）に、接続される給電ケーブル３５の配線経路を算出する工程を示すフローチャートである。ステップｃ０で、配線経路算出手段５が、対象とするｉ番目の端子ボックスＴＢＯＸ（ｉ）を選択し、配線引き込み口５４よりも端子ボックスＴＢＯＸ（ｉ）が下方または同一段にあると判断すると、ステップｃ１に進み、給電ケーブル３５の配線経路を算出する工程が開始される。ステップｃ１では、配線経路算出手段５が、配線引き込み口５４の中心座標ＯＰ_Ｐと端子ボックスＴＢＯＸ（ｉ）の中心座標ＴＢＯＸ（ｉ）_Ｐとを結ぶ線分を算出し、ステップｃ２に進む。
【００９１】
ステップｃ２では、配線経路算出手段５が、対象とする端子ボックスＴＢＯＸ（ｉ）の中心座標ＴＢＯＸ（ｉ）_Ｐを変数Ｐに設定し、ステップｃ３に進む。ステップｃ３では、配線経路算出手段５が、変数Ｐの座標位置に存在する太陽電池モジュールのモジュール番号を求め、そのモジュール番号を変数ｎに代入し、ステップｃ４に進む。
【００９２】
ステップｃ４では、配線経路算出手段４が、変数ｎのモジュール番号を持つ太陽電池モジュールＭｎが、配線引き込み口５４と同じ段領域に配置されているか否かを判断する。太陽電池モジュールＭｎが、配線引き込み口５４と同じ段領域に配置されていると判断したならば、ステップｃ８に進み、異なる段領域に配置されていると判断したならばステップｃ５に進む。
【００９３】
ステップｃ５では、配線経路算出手段５が、太陽電池モジュールＭｎの上方側縁辺と、ステップｃ１で算出した線分との交点Ｚを算出し、ステップｃ６に進む。ステップｃ６では、配線経路算出手段５が、前記交点Ｚの情報に応じて、最短距離となる給電ケーブル３５の配線経路を算出し、給電ケーブル３５が通過する太陽電池モジュールＭｎの切欠きの情報を算出する。配線経路算出手段５は、太陽電池モジュールのモジュール番号と切欠きの情報とを一組として経路リストＰａｔｈ（ｉ）に記憶し、ステップｃ７に進む。具体的には、ステップｃ６では、前記交点ＺのＸ座標が、変数ＰのＸ座標よりも小さければ、モジュールＭｎに付記されたモジュール番号と、右側Ｘ１の切欠き５２の座標位置Ｍｎ_ＰＬとを経路リストＰａｔｈ（ｉ）に記憶し、また前記交点ＺのＸ座標が、変数ＰのＸ座標よりも多きければ、モジュールＭｎに付記されたモジュール番号と、左側Ｘ２の切欠き５１の座標位置Ｍｎ_ＰＲとを一組として経路リストＰａｔｈ（ｉ）に記憶する。
【００９４】
ステップｃ７では、配線経路算出手段５が、ステップｃ６で、算出した給電ケーブル３５が通過する切欠きの座標位置を変数Ｐとして新たに代入し、前記切欠きの上方に配置され、前記切欠きに臨んで配置される太陽電池モジュールに付記されるモジュール番号を求め、そのモジュール番号を新たに変数ｎとして代入し、ステップｃ４に戻る。
【００９５】
ステップｃ４では、モジュール番号としてｎが付記された太陽電池モジュールＭｎと、配線引き込み口５４が同じ段領域である場合、ステップｃ８に進む。ステップｃ８では、配線経路算出手段５が、太陽電池モジュールＭｎに、配線引き込み口５４が設けられるか否かを判断する。太陽電池モジュールＭｎに、配線引き込み口５４が設けられている判断すると、ステップｃ１０に進み、太陽電池モジュールＭｎに配線引き込み口５４が設けられていないと判断すると、ステップｃ９に進む。
【００９６】
ステップｃ９では、配線経路算出手段５が、太陽電池モジュールＭｎと、配線引き込み口５４に向かう方向の太陽電池モジュールＭｎの端部の情報とを経路リストＰａｔｈ（ｉ）に記憶し、太陽電池モジュールＭｎに対して、配線引き込み口５４に向かう方向に隣接する太陽電池モジュールのモジュール番号を新しい変数ｎとし、ステップｃ８にもどる。ステップｃ９を詳しく説明すると、配線引き込み口５４の中心座標ＯＰ_Ｐが、太陽電池モジュールＭｎよりも左側Ｘ２にある場合、モジュール番号ｎの値と、太陽電池モジュールＭｎの左側Ｘ２端部５６の座標位置Ｍｎ_ＳＬを一組として、経路リストＰａｔｈ（ｉ）に記憶する。次に太陽電池モジュールＭｎの左側にあるモジュールに付記されたモジュール番号を求め、変数ｎに代入する。また配線引き込み口が太陽電池モジュールＭｎよりも右側Ｘ１にある場合、モジュール番号ｎの値と、太陽電池モジュールＭｎの右側Ｘ１端部の座標位置Ｍｎ_ＳＲを一組として、経路リストＰａｔｈ（ｉ）に記憶する。次に太陽電池モジュールＭｎの右側Ｘ１にある太陽電池モジュールに付記されたモジュール番号を求め、変数ｎに代入する。
【００９７】
ステップｃ１０では、太陽電池モジュールＭｎに付記されたモジュール番号を経路リストＰａｔｈ（ｉ）に追加し、経路リストＰａｔｈ（ｉ）を完成させ、ステップｃ１１に進む。ステップｃ１１では、配線引き込み口５４よりも下方にある端子ボックスＴＢＯＸ（ｉ）に接続する給電ケーブル３５の配線経路算出工程が終了する。
【００９８】
図２１は、給電ケーブル３５の配線経路を示す配線図である。各給電ケーブル３５は、互いに重ならないように、間隔をあけて表示される。設計装置１は、給電ケーブル３５の配線経路を算出する工程の後に、給電ケーブル３５が互いに間隔をあけて配置する表示配線経路の算出工程を行う。
【００９９】
図２２は、配線引き込み口５４よりも上段にあり、切り欠きＭ_Ｐ（ｊ）を通過する給電ケーブル３５に対して、給電ケーブル３５の間隔をあけて配置する工程を示すフローチャートである。給電ケーブル３５の表示配線経路は、経路点情報を含む経路リストＰａｔｈ（ｉ）に基づいて算出され、各端子ボックスＴＢＯＸ（ｉ）から配線引き込み口５４に延びる給電ケーブル３５が通過するｉ番目の表示配線経路をＰＯＬＹ（ｉ）とする。
【０１００】
ステップｄ０では、配線経路算出手段５が、切欠き番号としてｊが付記される切欠きＭ_Ｐ（ｊ）を経路点情報として備えた経路リストＰａｔｈ（ｉ）を検索し、該当する経路リストＰａｔｈ（ｉ）を要素とする要素リストＬｉｓｔ（ｊ）を作成する。切欠き番号ｊは、切欠きごとに異なった番号が与えられる。すべての切欠きについて、通過する給電ケーブル３５の情報が得られると、ステップｄ１に進む。
【０１０１】
ステップｄ１では、要素リストＬｉｓｔ（ｊ）に登録される経路リストＰａｔｈ（ｉ）の総本数ｎｔを求める。すなわち切欠き番号ｊを付記した切欠きＭ_Ｐ（ｊ）を通過する給電ケーブル３５の総本数をｎｔとし、ステップｄ２に進む。ステップｄ２では、配線経路算出手段５が、切欠きＭ_Ｐ（ｊ）を通過する給電ケーブルを判断する。具体的には、配線経路算出手段５が、切欠きＭ_Ｐ（ｊ）を備えた太陽電池モジュールの、一つ上方の段領域に配置される他の太陽電池モジュールの端子ボックスＴＢＯＸ（ｉ）に接続され、切欠きＭ_Ｐ（ｊ）を通過する給電ケーブル３５があるか否かを判断し、前記端子ボックスＴＢＯＸ（ｉ）と接続する給電ケーブル３５があるならば、ステップｄ３に進み、そうでなければステップｄ８に進む。
【０１０２】
ステップｄ３では、配線経路算出手段５が、給電ケーブル３５の経路リストＰａｔｈ（ｉ）に基づいて、切欠きＭ_Ｐ（ｊ）を備える太陽電池モジュールの、一つ上方の段領域に配置される他の太陽電池モジュールの端子ボックスＴＢＯＸ（ｉ）と接続し、かつ切欠きＭ_Ｐ（ｊ）を通過する給電ケーブル３５とその給電ケーブル３５が接続される端子ボックスＴＢＯＸ（ｉ）とを検索する。検索が完了するとステップｄ４に進む。
【０１０３】
ステップｄ４では、配線経路算出手段５が、ステップｄ３で検索した端子ボックスＴＢＯＸ（ｉ）のうちで、切欠きＭ_Ｐ（ｊ）より左側Ｘ２にある端子ボックスＴＢＯＸ（ｉ）を選択し、切欠きＭ_Ｐ（ｊ）から遠方にある端子ボックスから順にＴＢＯＸ-ＴＬ１、ＴＢＯＸ-ＴＬ２、…、ＴＢＯＸ-ＴＬｎＬとし、端子ボックスごとに識別し、ステップｄ５に進む。またｎＬは、切欠きＭ_Ｐ（ｊ）を備える太陽電池モジュールの、一つ上方の段領域に配置される他の太陽電池モジュールの端子ボックスＴＢＯＸ（ｉ）のうち、切欠きＭ_Ｐ（ｊ）を通過する給電ケーブル３５が接続され、切欠きＭ_Ｐ（ｊ）よりも左側Ｘ２に配置される端子ボックスの総本数を示す。
【０１０４】
ステップｄ５では、配線経路算出手段５が、ステップｄ３で検索した端子ボックスＴＢＯＸ（ｉ）のうちで、切欠きＭ_Ｐ（ｊ）より右側Ｘ１にある端子ボックスＴＢＯＸ（ｉ）を選択し、切欠きＭ_Ｐ（ｊ）から遠方にある端子ボックスから順にＴＢＯＸ-ＴＲ１、ＴＢＯＸ-ＴＲ２、…、ＴＢＯＸ-ＴＲｎＲとし、端子ボックスごとに識別し、ステップｄ６に進む。またｎＲは、切欠きＭ_Ｐ（ｊ）を備える太陽電池モジュールの、一つ上方の段領域に配置される他の太陽電池モジュールの端子ボックスＴＢＯＸ（ｉ）のうち、切欠きＭ_Ｐ（ｊ）を通過する給電ケーブル３５が接続され、切欠きＭ_Ｐ（ｊ）よりも右側Ｘ１に配置される端子ボックスの総本数を示す。
【０１０５】
ステップｄ６では、配線経路算出手段５が、給電ケーブル３５の相互の間隔を算出する。右側Ｘ１および左側Ｘ２それぞれについて、切欠きＭ_Ｐ（ｊ）を備える太陽電池モジュールの上端面と、前記太陽電池モジュールの１つ上方の段領域に配置される太陽電池モジュールが備える端子ボックスＴＢＯＸ（ｉ）の下端面とのＹ軸方向の距離をＬ１とする。切り欠きＭ_Ｐ（ｊ）を備える太陽電池モジュールの１つ上の太陽電池モジュールを通過する給電ケーブル同士のＹ軸方向の表示時の間隔は、切欠きＭ_Ｐ（ｊ）より左側Ｘ２の給電ケーブル同士では、表示間隔ｄｙＬをｄｙＬ＝Ｌ１／（ｎＬ＋１）とし、切欠きＭ_Ｐ（ｊ）より右側Ｘ１の給電ケーブル同士では、表示間隔ｄｙＲをｄｙＲ＝Ｌ１／（ｎＲ＋１）とする。
【０１０６】
また切欠きＭ_Ｐ（ｊ）のＸ軸方向の寸法をＬＸとし、切欠きＭ_Ｐ（ｊ）を通過する給電ケーブルの表示時のＸ軸方向の間隔をｄｘとすると、前記間隔ｄｘは、ｄｘ＝ＬＸ／（ｎＬ＋ｎＲ＋１）となる。このようにケーブル間の間隔が算出されたあと、ステップｄ７に進む。
【０１０７】
ステップｄ６で、切欠きＭ_Ｐ（ｊ）を備える太陽電池モジュールの上端面と、前記太陽電池モジュールの１つ上方の段領域に配置される太陽電池モジュールが備える端子ボックスＴＢＯＸ（ｉ）の下端面とのＹ軸方向の距離Ｌ１を配線数で割算して表示間隔とすることで、端子ボックスに配線経路が交わることがない。
【０１０８】
ステップｄ７では、配置経路算出手段５が、端子ボックスＴＢＯＸ（ｉ）から切欠きＭ_Ｐ（ｊ）の手前までの給電ケーブルの表示配線経路ＰＯＬＹ（ｉ）を算出する。切欠きＭ_Ｐ（ｊ）より左側Ｘ２に配置され、最も左側Ｘ２の端子ボックスから数えてｋ番目の端子ボックスＴＢＯＸ-ＴＬｋの表示配線経路ＰＯＬＹ（ｉ）の算出は、次式に基づいて行われる。
ＳＰ＝（ＴＢＯＸ_３_Ｘ ，ＴＢＯＸ_３_Ｙ）
ＣＰ＝（ＳＰ_Ｘ ，Ｍ_Ｐ（ｊ）_Ｙ＋ｄｙＬ＊ｋ）
ＣＰ２＝（ＳＰ_Ｘ＋Ａ ，ＣＰ_Ｙ）
ＣＰ３＝（Ｍ_Ｐ（ｊ）_Ｘ−（ｄｘ＊（ｎｔ＋１）／２）＋ｄｘ＊ｋ ，ＣＰ_Ｙ）
ＰＯＬＹ（ｉ）＝｛ＳＰ ＣＰ ，ＣＰ ＣＰ２ ，ＣＰ２ ＣＰ３｝
【０１０９】
Ａは、たとえば１５０[ｍｍ]に設定される。また切欠きＭ_Ｐ（ｊ）より右側Ｘ１に配置され、最も右側Ｘ１の端子ボックスから数えてｋ番目の端子ボックスＴＢＯＸ-ＴＲｋの表示配線経路ＰＯＬＹ（ｉ）の算出は、次式に基づいて行われる。
ＳＰ＝（ＴＢＯＸ_３_Ｘ ，ＴＢＯＸ_３_Ｙ）
ＣＰ＝（ＳＰ_Ｘ ，Ｍ_Ｐ（ｊ）_Ｙ＋ｄｙＲ＊ｋ）
ＣＰ２＝（ＳＰ_Ｘ−Ａ ，ＣＰ_Ｙ）
ＣＰ３＝（Ｍ_Ｐ（ｊ）_Ｘ＋（ｄｘ＊（ｎｔ＋１）／２）−ｄｘ＊ｋ ，ＣＰ_Ｙ）
ＰＯＬＹ（ｉ）＝｛ＳＰ ＣＰ ，ＣＰ ＣＰ２ ，ＣＰ２ ＣＰ３｝
【０１１０】
Ａは、たとえば１５０[ｍｍ]に設定される。このように端子ボックスＴＢＯＸ（ｉ）から切欠きＭ_Ｐ（ｊ）を通過する手前までの給電ケーブル３５の表示配線経路ＰＯＬＹ（ｉ）を算出するとステップｄ８に進む。
【０１１１】
ステップｄ８では、配線経路算出手段５が、切欠きＭ_Ｐ（ｊ）を通過する給電ケーブル３５の表示配線経路ＰＯＬＹ（ｉ）を算出する。要素リストＬｉｓｔ（ｊ）のすべての要素について、Ｍ_Ｐ（ｊ）を備えた太陽電池モジュールの一つ上の段領域に属する太陽電池モジュールが備えた切欠きの座標位置を経路点として、Ｐａｔｈ（ｉ）が備えている場合、前記切り欠きの座標位置よりも右側Ｘ１ならば右側要素リストＬＬｉｓｔＲ（ｊ）に追加し、また経路点情報が右側Ｘ１でなければ、左側要素リストＬＬｉｓｔＬ（ｊ）に追加する。ステップｄ８では、すべての右側要素リストＬＬｉｓｔＲ（ｊ）および左側要素リストＬＬｉｓｔＬ（ｊ）について、その表示配線経路ＰＯＬＹ（ｉ）の算出が行われる。左側要素リストＬＬｉｓｔＬのｋ番目に登録されている前記表示配線経路ＰＯＬＹ（ｉ）に、次式に示す経路点ＣＰ１１およびＣＰ１２を追加する。
ｔｐ＝ＰＯＬＹ（ｉ）の最後の要素の座標位置、
ＣＰ１１＝（ｔｐ_Ｘ ，Ｍ_Ｐ（ｊ）_Ｙ＋ｄｙＬ＊（ｎＬ＋ｋ））
ＣＰ１２＝（Ｍ_Ｐ（ｊ）_Ｘ−（ｄｘ＊（ｎｔ＋１）／２）＋ｄｘ＊（ｎＬ＋ｋ） ，ＣＰ１１_Ｙ）
ＰＯＬＹ（ｉ）＝｛ＳＰ ＣＰ ，ＣＰ ＣＰ２ ，ＣＰ２ ＣＰ３ ，ＣＰ３ ＣＰ１１ ，ＣＰ１１ ＣＰ１２｝
【０１１２】
また右側要素リストＬＬｉｓｔＲのｋ番目に登録されている前記表示配線経路ＰＯＬＹ（ｉ）に、次式に示す経路点ＣＰ１１および経路点ＣＰ１２を追加する。
ｔｐ＝ＰＯＬＹ（ｉ）の最後の要素の座標位置、
ＣＰ１１＝（ｔｐ_Ｘ ，Ｍ_Ｐ（ｊ）_Ｙ＋ｄｙＲ＊（ｎＲ＋ｋ））
ＣＰ１２＝（Ｍ_Ｐ（ｊ）_Ｘ＋（ｄｘ＊（ｎｔ＋１）／２）−ｄｘ＊（ｎＲ＋ｋ） ，ＣＰ１１_Ｙ）
ＰＯＬＹ（ｉ）＝｛ＳＰ ＣＰ ，ＣＰ ＣＰ２ ，ＣＰ２ ＣＰ３ ，ＣＰ３ ＣＰ１１ ，ＣＰ１１ ＣＰ１２｝
【０１１３】
切り欠きＭ_Ｐ（ｊ）を通過する表示通過経路ＰＯＬＹ（ｉ）の算出が完了すると、ステップｄ９に進む。ステップｄ９では、配線経路算出手段５が、配線引き込み口５４より上方のすべての切欠きについて、切り欠きＭ_Ｐ（ｊ）を通過する給電ケーブル３５の表示配線経路ＰＯＬＹ（ｉ）を算出したか否かを判断し、すべての切欠きについて、表示配線経路を算出したと判断したならば、ステップｄ１１に進み、そうでないと判断したならば、ステップｄ１０に進む。ステップｄ１０では、対象とする切り欠きを変更し、ステップｄ１に戻る。ステップｄ１１では、配線引き込み口５４よりも上段にあり、切り欠きを通過する給電ケーブル３５の表示配線経路ＰＯＬＹ（ｉ）の算出が完了する。
【０１１４】
図２３は、配線引き込み口５４よりも下段にあり、切り欠きＭ_Ｐ（ｊ）を通過する給電ケーブル３５に対して、給電ケーブル３５の間隔をあけて配置する工程を示すフローチャートである。給電ケーブル３５の表示配線経路は、経路点情報を含む経路リストＰａｔｈ（ｉ）に基づいて算出され、各端子ボックスＴＢＯＸ（ｉ）から配線引き込み口５４に延びる給電ケーブル３５が通過するｉ番目の表示配線経路をＰＯＬＹ（ｉ）とする。
【０１１５】
ステップｅ０では、配線経路算出手段５が、切欠き番号としてｊが付記される切欠きＭ_Ｐ（ｊ）を経路点情報として備えた経路リストＰａｔｈ（ｉ）を検索し、該当する経路リストＰａｔｈ（ｉ）を要素とする要素リストＬｉｓｔ（ｊ）を作成する。切欠き番号ｊは、切欠きごとに異なった番号が与えられる。すべての切欠きについて、通過する給電ケーブル３５の情報が得られると、ステップｅ１に進む。
【０１１６】
ステップｅ１では、要素リストＬｉｓｔ（ｊ）に登録される経路リストＰａｔｈ（ｉ）の総本数ｎｔを求める。すなわち切欠き番号ｊを付記した切欠きＭ_Ｐ（ｊ）を通過する給電ケーブル３５の総本数をｎｔとし、ステップｅ２に進む。ステップｅ２では、配線経路算出手段５が、切欠きＭ_Ｐ（ｊ）を通過する給電ケーブルを判断する。具体的には、配線経路算出手段５が、切欠きＭ_Ｐ（ｊ）を備えた太陽電池モジュールと同一の段領域に配置される他の太陽電池モジュールの端子ボックスＴＢＯＸ（ｉ）に接続され、切欠きＭ_Ｐ（ｊ）を通過する給電ケーブル３５があるか否かを判断し、前記端子ボックスＴＢＯＸ（ｉ）と接続する給電ケーブル３５があるならば、ステップｅ３に進み、そうでなければステップｅ８に進む。
【０１１７】
ステップｅ３では、配線経路算出手段５が、給電ケーブル３５の経路リストＰａｔｈ（ｉ）に基づいて、切欠きＭ_Ｐ（ｊ）を備える太陽電池モジュールと同一の段領域に配置される他の太陽電池モジュールの端子ボックスＴＢＯＸ（ｉ）と接続し、かつ切欠きＭ_Ｐ（ｊ）を通過する給電ケーブル３５とその給電ケーブルが接続される端子ボックスＴＢＯＸ（ｉ）を検索する。検索が完了するとステップｅ４に進む。
【０１１８】
ステップｅ４では、配線経路算出手段５が、ステップｅ３で検索した端子ボックスＴＢＯＸ（ｉ）のうちで、切欠きＭ_Ｐ（ｊ）より左側Ｘ２にある端子ボックスＴＢＯＸ（ｉ）を選択し、切欠きＭ_Ｐ（ｊ）から遠方にある端子ボックスから順にＴＢＯＸ-ＴＬ１、ＴＢＯＸ-ＴＬ２、…、ＴＢＯＸ-ＴＬｎＬとし、端子ボックスごとに識別し、ステップｅ５に進む。またｎＬは、切欠きＭ_Ｐ（ｊ）を備える太陽電池モジュールと同一の段領域に配置される他の太陽電池モジュールの端子ボックスＴＢＯＸ（ｉ）のうち、切欠きＭ_Ｐ（ｊ）を通過する給電ケーブルが接続され、切欠きＭ_Ｐ（ｊ）よりも左側Ｘ２に配置される端子ボックスの総本数を示す。
【０１１９】
ステップｅ５では、配線経路算出手段５が、ステップｅ３で検索した端子ボックスＴＢＯＸ（ｉ）のうちで、切欠きＭ_Ｐ（ｊ）より右側Ｘ１にある端子ボックスＴＢＯＸ（ｉ）を選択し、切欠きＭ_Ｐ（ｊ）から遠方にある端子ボックスから順にＴＢＯＸ-ＴＲ１、ＴＢＯＸ-ＴＲ２、…、ＴＢＯＸ-ＴＲｎＲとし、端子ボックスごとに識別し、ステップｅ６に進む。またｎＲは、切欠きＭ_Ｐ（ｊ）を備える太陽電池モジュールと同一の段領域に配置される他の太陽電池モジュールの端子ボックスＴＢＯＸ（ｉ）のうち、切欠きＭ_Ｐ（ｊ）を通過する給電ケーブルが接続され、切欠きＭ_Ｐ（ｊ）よりも右側Ｘ１に配置される端子ボックスの総本数を示す。
【０１２０】
ステップｅ６では、配線経路算出手段５が、給電ケーブル３５の相互の間隔を算出する。切欠きＭ_Ｐ（ｊ）を備えた太陽電池モジュールの上端面と、前記太陽電池モジュールが備える端子ボックスの上端面とのＹ軸方向の距離をＬ２とし、切欠きＭ_Ｐ（ｊ）より左側Ｘ２の給電ケーブル３５のＹ軸方向の表示間隔ｄｙＬをｄｙＬ＝Ｌ２／（ｎＬ＋１）とし、切欠きＭ_Ｐ（ｊ）より右側Ｘ１の給電ケーブル３５のＹ軸方向の表示間隔ｄｙＲをｄｙＲ＝Ｌ２／（ｎＲ＋１）とする。また切欠きのＸ軸方向の寸法をＬＸとし、給電ケーブル３５のＸ軸方向の表示間隔ｄｘは、ｄｘ＝ＬＸ／（ｎｔ＋１）とする。このようにケーブル間の間隔が算出されたあと、ステップｅ７に進む。
【０１２１】
ステップｅ６で、切欠きＭ_Ｐ（ｊ）を備えた太陽電池モジュールの上端面と、前記太陽電池モジュールが備える端子ボックスの上端面とのＹ軸方向の距離Ｌ２を配線数で割算して表示間隔とすることで、端子ボックスに配線経路が交わることがない。
【０１２２】
ステップｅ７では、配置経路算出手段５が、端子ボックスＴＢＯＸ（ｉ）から切欠きＭ_Ｐ（ｊ）の手前までの給電ケーブル３５の表示配線経路ＰＯＬＹ（ｉ）を算出する。切欠きＭ_Ｐ（ｊ）より左側Ｘ２に配置され、最も左側Ｘ２の端子ボックスから数えてｋ番目の端子ボックスＴＢＯＸ-ＴＬｋの表示配線経路ＰＯＬＹ（ｉ）の算出は、次式に基づいて行われる。
ＳＰ＝（ＴＢＯＸ_６_Ｘ ，ＴＢＯＸ_６_Ｙ）
ＣＰ＝（ＳＰ_Ｘ ，Ｍ_Ｐ（ｊ）_Ｙ−ｄｙＬ＊ｋ）
ＣＰ２＝（Ｍ_Ｐ（ｊ）_Ｘ−（ＬＸ／２）＋ｄｘ＊ｋ，ＣＰ_Ｙ）
ＰＯＬＹ（ｉ）＝｛ＳＰ ＣＰ ，ＣＰ ＣＰ２｝
【０１２３】
また切欠きＭ_Ｐ（ｊ）より右側Ｘ１に配置され、最も右側Ｘ１の端子ボックスから数えてｋ番目の端子ボックスＴＢＯＸ-ＴＲｋの表示配線経路ＰＯＬＹ（ｉ）の算出は、次式に基づいて行われる。
ＳＰ＝（ＴＢＯＸ_６_Ｘ ，ＴＢＯＸ_６_Ｙ）
ＣＰ＝（ＳＰ_Ｘ ，Ｍ_Ｐ（ｊ）_Ｙ−ｄｙＲ＊ｋ）
ＣＰ２＝（Ｍ_Ｐ（ｊ）_Ｘ−（ＬＸ／２）−ｄｘ＊ｋ，ＣＰ_Ｙ）
ＰＯＬＹ（ｉ）＝｛ＳＰ ＣＰ，ＣＰ ＣＰ２｝
【０１２４】
このように端子ボックスＴＢＯＸ（ｉ）から切欠きＭ_Ｐ（ｊ）を通過する手前までの給電ケーブルの表示配線経路ＰＯＬＹ（ｉ）を算出するとステップｅ８に進む。
【０１２５】
ステップｅ８では、要素リストＬＬｉｓｔ（ｊ）に登録されている経路リストＰａｔｈ（ｉ）について、切欠きＭ_Ｐ（ｊ）を備える太陽電池モジュールのさらに下方の太陽電池モジュールの切り欠きを通過するすべての経路リストＰａｔｈ（ｉ）について、要素リストＬＬｉｓｔ（ｊ）に追加し、各表示配線経路ＰＯＬＹ（ｉ）の最後の要素の経路点のＸ座標の大きい順に並べ直し、ステップｅ９に進む。
【０１２６】
ステップｅ９では、端子ボックスの下端面と太陽電池モジュールの下端面とのＹ軸方向の距離Ｌ１とし、切欠きＭ_Ｐ（ｊ）を通過する給電ケーブルの総本数ｎｃに１を加算した値で割算し、給電ケーブルの間隔ｄｙｃを算出する。給電ケーブルの間隔ｄｙｃは、ｄｙｃ＝Ｌ／（ｎｃ＋１）となる。給電ケーブルの間隔の算出が完了すれば、ステップｅ１０に進む。
【０１２７】
ステップｅ１０では、切欠きＭ_Ｐ（ｊ）が左側Ｘ２の切欠き５１の場合、要素リストＬＬｉｓｔのｋ番目に登録されている表示配線経路ＰＯＬＹ（ｉ）が対象段の下の段の通過位置情報をＰＰＩとすると、前記表示配線経路ＰＯＬＹ（ｉ）に、次式に示す経路点ＣＰ１１，ＣＰ１２およびＣＰ１３を追加し、ステップｅ１１に進む。また切欠きＭ_Ｐ（ｊ）が右側Ｘ１の切欠き５２の場合についても表示配線経路ＰＯＬＹ（ｉ）を求める。
ｔｐ＝ＰＯＬＹ（ｉ）の最後の要素の座標位置、
ＣＰ１１＝（ｔｐ_Ｘ ，ＰＰＩ_Ｙ＋ｄｙｃ＊ｋ）
ＣＰ１２＝（Ｍ_Ｐ（ｊ）_Ｘ−（ｄｘ＊ｎｔ／２）＋ｄｘ＊（ｋ−１） ，ＣＰ１１_Ｙ）
ＣＰ１３＝（ＣＰ１２_Ｘ ，Ｍ_Ｐ（ｊ）_Ｙ−ｄｙｔ）
ＰＯＬＹ（ｉ）＝｛ＳＰ ＣＰ ，ＣＰ ＣＰ２ ，ＣＰ２ ＣＰ１１ ，ＣＰ１１ ＣＰ１２ ，ＣＰ１２ ＣＰ１３｝
【０１２８】
ステップｅ１１では、配線経路算出手段５が、配線引き込み口５４より下方のすべての切欠きについて、切り欠きＭ_Ｐ（ｊ）を通過する給電ケーブル３５の表示配線経路ＰＯＬＹ（ｉ）を算出したか否かを判断し、すべての切欠きについて、表示配線経路を算出したと判断したならば、ステップｅ１３に進み、そうでないと判断したならば、ステップｅ１２に進む。ステップｅ１２では、対象とする切り欠きを変更し、ステップｅ１に戻る。ステップｅ１３では、配線引き込み口５４よりも下段にあり、切り欠きを通過する給電ケーブル３５の表示配線経路ＰＯＬＹ（ｉ）の算出が完了する。
【０１２９】
図２４は、配線引き込み口５４と同じ段領域に延びる給電ケーブル３５に対して、給電ケーブル３５の間隔をあけて配置する工程を示すフローチャートである。
【０１３０】
ステップｆ１では、配線引き込み口５４を備えた太陽電池モジュールの段領域に属する太陽電池モジュールの端子ボックスが開始モジュール２１ａおよび終了モジュール２１ｂとなる端子ボックスを検索し、ステップｆ２に進む。ステップｆ２では、配線引き込み口５４を備えた太陽電池モジュールの段領域の左端から配線引き込み口５４の左隣に位置する太陽電池モジュールまでを通る総配線数を求め、ｎＬとし、ステップｆ３に進む。
【０１３１】
ステップｆ３では、端子ボックスの下端部と太陽電池モジュールの下端部との間の距離をｎＬ＋１で割算し、割算した値を給電ケーブル同士の間隔ｄｙＬとし、ステップｆ４に進む。ステップｆ４では、配線経路算出手段５が、配線引き込み口５４を備えた太陽電池モジュールの属する段領域に、配置される複数の太陽電池モジュールの左端から右側に向かって順に開始モジュール２１ａまたは終了モジュール２１ｂを備えた太陽電池モジュールの切欠きおよび端子ボックスを検索する。次に配線経路算出手段５は、前記太陽電池モジュールの下端部から前記間隔ｄｙＬをあけて配線を通すように、表示配線経路ＰＯＬＹ（ｉ）を算出し、ステップｆ５に進む。
【０１３２】
ステップｆ５では、配線引き込み口５４を備えた太陽電池モジュールの段領域の右端から配線引き込み口５４の右隣に位置する太陽電池モジュールまでを通る総配線数を求め、ｎＲとし、ステップｆ６に進む。
【０１３３】
ステップｆ６では、端子ボックスの下端部と太陽電池モジュールの下端部との間の距離をｎＲ＋１で割算し、割算した値を給電ケーブル同士の間隔ｄｙＲとし、ステップｆ７に進む。ステップｆ７では、配線経路算出手段５が、配線引き込み口５４を備えた太陽電池モジュールの属する段領域に、配置される複数の太陽電池モジュールの右端から左側に向かって順に開始モジュール２１ａまたは終了モジュール２１ｂを備えた太陽電池モジュールの切欠きおよび端子ボックスを検索する。次に配線経路算出手段５は、前記太陽電池モジュールの下端部から前記間隔ｄｙＲをあけて配線を通すように、表示配線経路ＰＯＬＹ（ｉ）を算出し、ステップｆ８に進む。ステップ８では、配線引き込み口５４と同じ段領域に延びる給電ケーブル３５に対して、間隔をあけて配置する工程が完了する。
【０１３４】
図２５は、給電ケーブル３５を間隔をあけて、配線引き込み口５４へ集約する配線経路を算出する工程を示すフローチャートであり、図２６は、複数の給電ケーブル３５を配線引き込み口３５に接続した状態を示す平面図である。図２６に示すように、配線引き込み口３５に集約される複数の給電ケーブル３５は、互いに間隔をあけて表示される。
【０１３５】
まずステップｇ０で、配線引き込み口５４を備える太陽電池モジュールまでの表示配線経路ＰＯＬＹ（ｉ）が算出されると、ステップｇ１に進み、配線引き込み口５４へ集約する表示配線経路を算出する工程が開始される。ステップｇ１では、配線経路算出手段５が、表示配線経路ＰＯＬＹ（ｉ）の配線引き込み口５４寄りの端点の座標位置と、配線引き込み口５４の中心５９の座標位置とを比較し、配線引き込み口５４よりも左側Ｘ１の表示配線経路ＰＯＬＹ（ｉ）と、配線引き込み口５４よりも右側Ｘ２の表示配線経路ＰＯＬＹ（ｉ）とに分け、ステップｇ２に進む。
【０１３６】
ステップｇ２では、右側Ｘ１および左側Ｘ２の表示配線経路ＰＯＬＹ（ｉ）の総本数を求め、右側Ｘ１にある表示配線経路ＰＯＬＹ（ｉ）の総本数をＲＮＵＭとし、左側Ｘ２にある表示配線経路ＰＯＬＹ（ｉ）の総本数をＬＮＵＭとする。配線経路算出手段５は、表示配線経路ＰＯＬＹ（ｉ）を配線引き込み口５４の中心５９まわりに互いに所定の角度間隔をあけて配置し、右側Ｘ１の表示配線経路ＰＯＬＹ（ｉ）が配線引き込み口５４の中心５９まわりに並ぶ角度をｄ１とし、左側Ｘ２の表示配線経路ＰＯＬＹ（ｉ）が配線引き込み口５４の中心５９まわりに並ぶ角度をｄ２とすると、それぞれの角度は、次式となる。
ｄ１＝１８０／（ＲＮＵＭ−１）
ｄ２＝１８０／（ＬＮＵＭ＋１）
ただしＲＮＵＭ＝１のときは、ｄ１＝９０度とする。前記角度が算出されると、ステップｇ３に進む。
【０１３７】
ステップｇ３では、配線引き込み口５４の中心５９まわりに前記角度を用いて、接続点Ｓを求め、ステップｇ４に進む。ステップｇ３で、配線引き込み口５４から放射状に延びる複数の接続線１０１によって、配線引き込み口５４の右側Ｘ１の領域をｄ１の角度で分割し、配線引き込み口５４の左側Ｘ２の領域をｄ２の角度で分割する。接続線１０１が、太陽電池モジュールの配線引き込み口５４を形成する配線引き込み口部１０２の周壁と交差する点を接続点Ｓとする。
【０１３８】
ステップｇ４では、配線引き込み口５４の中心５９まわりに配線引き込み口５４よりも大きい同心円１０３を作成し、接続点Ｓから同心円１０３の円周までを第１の直線１０４で結ぶ。第１の直線１０４は、接続点Ｓと配線引き込み口５４の中心５９とを結ぶ方向に延びる。第１の直線１０４の作成が完了すればステップｇ５に進む。
【０１３９】
ステップｇ５では、前記直線１０４と、同心円１０３との交点Ｑを求め、前記交点ＱからＸ軸方向に延びる第２の直線１０５を作成し、ステップｇ６に進む。ステップｇ６では、配線経路算出手段５が、配線引き込み口５４を備えた太陽電池モジュールの属する段領域の上部または下部にある表示配線経路ＰＯＬＹ（ｉ）の最後の要素Ｔから配線引き込み口に延びる表示配線経路を算出する。
【０１４０】
まず配線引き込み口５４よりも左側Ｘ２にある表示配線経路ＰＯＬＹ（ｉ）の配線引き込み口５４寄りの最後の要素ＴのＸ座標位置が大きいものから順に、複数の左側Ｘ２の第２の直線１０５のＹ座標が大きいものを順に対応させる。また配線引き込み口５４よりも右側Ｘ１にある複数の表示配線経路ＰＯＬＹ（ｉ）の最後の要素ＴのＸ座標位置が小さいものから順に、左側の第２の直線１０５のＹ座標が小さいものを順に対応させる。
【０１４１】
次に配線経路算出手段５が、各表示配線経路ＰＯＬＹ（ｉ）の最後の要素ＴからＹ軸に沿って延びる第３の直線１０６を作成し、各表示配線経路ＰＯＬＹ（ｉ）に対応した第２の直線１０５との交点ＣＰ２１を求める。次に配線経路算出手段５が、表示配線経路ＰＯＬＹ（ｉ）の最後の要素Ｔと前記交点ＣＰ２１とを結ぶ線分と、交点ＣＰ２１と同心円の交点Ｑとを結ぶ線分と、同心円の交点Ｑと接続点Ｓとを結ぶ線分とを作成する。配線経路算出手段５は、前記各線分の端部を接続し、各表示配線経路ＰＯＬＹ（ｉ）の最後の要素Ｔから接続点Ｓに延びる給電ケーブル３５の表示配線経路を算出し、ステップｇ７に進む。
【０１４２】
ステップｇ７では、配線経路算出手段５が、配線引き込み口５４を備えた太陽電池モジュールと同一の段領域にある表示配線経路ＰＯＬＹ（ｉ）の最後の要素Ｔから配線引き込み口に延びる表示配線経路を算出する。
【０１４３】
まず配線経路算出手段５が、ステップｇ６で求められた複数の第３の直線１０６のうちで、そのＸ座標の値が最も小さくなる第３の直線１０６を求め、前記第３の直線１０６と、配線引き込み口５４を備える太陽電池モジュールの左端面との距離Ｌ３を求める。配線経路算出手段５が、配線引き込み口５４よりも左側Ｘ２にあり、最後の要素Ｔが配線引き込み口５４を備える太陽電池モジュールと同一の段領域にある配線の総本数に１を加算した値で、前記距離Ｌ３を割算し、前記距離Ｌ３に等間隔に、Ｙ軸に沿って延びる第４の直線１０７を作成する。
【０１４４】
また配線経路算出手段５が、ステップｇ６で求められた複数の第３の直線１０６のうち、そのＸ座標の値が最も大きくなる第３の直線１０６を求め、前記第３の直線１０６と、配線引き込み口５４を備える太陽電池モジュールの右端面との距離Ｌ４を求める。配線経路算出手段５が、配線引き込み口５４よりも右側Ｘ１にあり、最後の要素Ｔが配線引き込み口５４を備える太陽電池モジュールと同一の段領域にある配線の総本数に１を加算した値で、前記距離Ｌ４を割算し、前記距離Ｌ４に等間隔に、Ｙ軸に沿って延びる第５の直線１０８を作成する。
【０１４５】
このように第４および第５の直線１０７，１０８の作成を完了すると、次に配線経路算出手段５が、配線引き込み口５４よりも左側Ｘ２にあり、最後の要素Ｔが配線引き込み口５４を備える太陽電池モジュールと同一の段領域にある複数の配線経路のうち、最後の要素ＴからＹ軸に沿って延びる第６の直線１０９を作成し、第６の直線１０９をＹ座標が小さい順に、左から順に第４の直線１０７を対応させ、その交点ＣＰ３０を求める。次に配線経路算出手段５が、左側Ｘ２から並ぶ順に、下から順に第２の直線１０５を対応させ、その交点ＣＰ３１を求める。
【０１４６】
また配線経路算出手段５が、配線引き込み口５４よりも右側Ｘ１にあり、最後の要素Ｔが配線引き込み口を備える太陽電池モジュールと同一の段領域にある複数の配線経路のうち、最後の要素ＴからＹ軸に沿って延びる第６の直線１０９を作成し、第６の直線１０９をＹ座標が大きい順に、右から順に第５の直線１０８を対応させ、その交点ＣＰ４０を求める。次に配線経路算出手段５が、右から並ぶ順に、下から順に第２の直線１０５を対応させ、その交点ＣＰ４１を求める。
【０１４７】
次に配線経路算出手段５が、表示配線経路ＰＯＬＹ（ｉ）の最後の要素Ｔと交点ＣＰ３０とを結ぶ線分と、交点ＣＰ３０と交点ＣＰ３１とを結ぶ線分と、交点ＣＰ３１と同心円の交点Ｑとを結ぶ線分と、同心円状の点Ｑと接続点Ｓとを結ぶ線分とを作成し、互いの端部を接続し、接続点に延びる太陽電池モジュールの属する段領域の上部または下部にある配線経路を算出する。また配線経路算出手段５が、表示配線経路ＰＯＬＹ（ｉ）の最後の要素Ｔと交点ＣＰ４０とを結ぶ線分と、交点ＣＰ４０と交点ＣＰ４１とを結ぶ線分と、交点ＣＰ４１と同心円の交点Ｑとを結ぶ線分と、同心円状の点Ｑと接続点Ｓとを結ぶ線分とを作成し、互いの端部を接続し、接続点に延びる太陽電池モジュールの属する段領域の上部または下部にある配線経路を算出する。次にステップｇ８に進み、ステップｇ８では、配線引き込み口３５に集約される複数の給電ケーブル３５の配線引き込み口での配線経路の算出工程が終了する。
【０１４８】
このように配線経路算出手段５が、所定の計算アルゴリズムにしたがうことによって、モジュール間ケーブル３４および給電ケーブル３５の配線経路を算出することができ、配線経路の間隔をあけて配線経路を出力することができる。
【０１４９】
以上のように本発明の実施の形態に従えば、太陽電池モジュール配置情報取得手段２および太陽電池モジュール情報取得手段３によって、太陽電池モジュール２１が複雑に配置される場合および形状の異なる太陽電池モジュール２１が配置される場合であっても、その太陽電池モジュール２１同士を接続するモジュール間ケーブル３４および給電ケーブル３５の配線経路を容易に算出することができる。
【０１５０】
また配線経路をディスプレイ画面上に表示、配線図および見積書への印刷または通信手段への送信などの形態として出力することによって、算出した配線経路を施工者が容易にかつ短時間に確認することができ、太陽電池モジュールの設計を容易に行うことができる。また結果出力手段によって、出力される各ケーブルの配線経路を互いに重ならないようにすることができるので、施工者が配線図を見たときに、それぞれの配線経路の一方の端部と他方の端部および屈曲位置などを確認することができ、各ケーブルに接続される太陽電池モジュールを容易に確認することができる。したがって施工者が、各ケーブルの接続を間違うおそれを防止して、確実に配線作業を行うことができる。
【０１５１】
また上述のような所定のアルゴリズムにしたがって、配線経路算出手段５が配線経路を算出するので、施工者は、配置情報、モジュール情報および系統情報を入力した後に、配線経路設計装置から、自動的に配線経路を得ることができる。したがって配置経路の算出のための専門的な技術を必要とせずに、配線算出作業を簡単に行うことができる。
【０１５２】
また給電ケーブル３５の配線経路は、配線引き込み口５４と開始および終了モジュール２１ａ，２１ｂとを結ぶ線分に最も近い切り欠きを通過するように選択されるので、最短距離で配線引き込み口５４と端子ボックス５３とを接続することができ、太陽電池モジュール２１に用いられる給電ケーブル３５の長さを短くすることができる。これによって太陽電池モジュール２１の施工のために用いられる給電ケーブル３５を低減することができ、施工に必要な給電ケーブル３５の量を減らして、太陽電池モジュール２１施工に費やすコストを軽減することができる。また配線引き込み口５４からパワーコンディショナまで給電ケーブル３５が延びる配線経路をほぼ同じにすることができる。これによって太陽光発電装置施工作業時に集約位置から各給電ケーブル３５をまとめて供給先まで接続することができ、施工者は、太陽光発電装置の施工を容易に行うことができる。
【０１５３】
上述の記載は、発明の例示に過ぎず、発明の範囲内で構成を変更してもよい。たとえば本実施の形態では、太陽電池ケーブル２１の長手方向を水平方向に沿わせて屋根面に配置したが、太陽電池モジュール２１の長手方向を水平方向とは異なる方向、たとえば垂直な方向に沿わせるように取り付けてもよい。また太陽電池モジュール２１が配置される配置対象領域は、屋根２０でなくてもよく、光が照射される壁であってもよい。また太陽電池モジュール２１は、矩形形状でなくてもよく、台形、３角形などの他の形状であってもよい。またモジュール間ケーブル３４は、太陽電池モジュール２１を直列に接続したが、並列に接続してもよく、また直列と並列を組み合わせて接続してもよい。また本実施の形態では、配置情報および系統情報は、予め決定されているとしたが、各取得手段が、各情報を算出してもよい。またプラス側ケーブル３４ａとマイナス側ケーブル３４ｂとを接続するＣＰ経路点は、２つの切欠き５１,５２からＹ軸方向すなわち上下方向にずれた位置に配置されることが好ましい。これによって切欠き部分から浸水した雨水が、ＣＰ経路点に流れる可能性を少なくすることができる。
【０１５４】
【発明の効果】
以上のように本発明によれば、配線経路算出手段によって、太陽電池モジュール同士を接続するモジュール間ケーブルの配線経路を算出することができる。太陽電池モジュールが複雑に配置される場合および形状の異なる太陽電池モジュールが配置される場合であっても、その太陽電池モジュール同士を接続するモジュール間ケーブルの配線経路を算出することができる。このように配線経路が複雑になる場合であっても、配線経路を算出することができる。したがって施工者は、手動でモジュール間ケーブルの配線経路を算出する必要がなく、配線経路を算出する手間を省略することができる。また配線経路をディスプレイ画面上に表示、配線図および見積書への印刷または通信手段への送信などの形態として出力することによって、算出した配線経路を容易に確認することができる。
【０１５５】
また出力された配線経路を示す配線図を確認しながら、取得情報を変更して、配線経路を算出することによって、太陽電池モジュールの数、モジュール群、太陽電池モジュールが配置される屋根面数および太陽電池モジュールのサイズなど各パラメータの値を変更しても、変更後の配線経路を短時間で算出し、配線図として出力することができる。したがって利用者は、太陽電池モジュール施工のための配線図を短時間で得ることができ、太陽電池モジュールの設計を容易に行うことができる。
【０１５６】
また、配線経路取得手段は、各情報取得後に、配線経路設計装置外部からの指示を必要とせずに、配線経路を算出することができる。これによって利用者は、配置情報、モジュール情報および系統情報を入力した後に、配線経路設計装置から、自動的に配線経路を得ることができる。したがって配置経路の算出のための専門的な技術を必要とせずに、配線算出作業を簡単に行うことができる。
【０１５７】
また、配線経路算出手段によって、給電ケーブルの長さを短くすることができる。これによって給電ケーブルの消費を低減することができ、施工に必要な給電ケーブルの量を減らして、太陽電池モジュールの施工に費やすコストを軽減することができる。また集約位置から供給先まで給電ケーブルが延びる配線経路をほぼ同じにすることができる。これによって太陽電池モジュール施工作業時に集約位置から各給電ケーブルをまとめて供給先まで接続することができ、施工者は、太陽光発電装置の施工を容易に行うことができる。
【０１５８】
また本発明によれば、結果出力手段によって、出力される各ケーブルの配線経路を互いに重ならないようにすることができるので、施工者が配線図を見たときに、それぞれの配線経路の一方の端部と他方の端部および屈曲位置などを確認することができ、各ケーブルに接続される太陽電池モジュールを容易に確認することができる。したがって施工者が、各ケーブルの接続を間違うおそれを防止して、確実に配線作業を行うことができる。
また本発明によれば、集約位置で集約されるであろう給電ケーブルが、相互に間隔をあけて配置されるので、出力される配線図において、各ケーブルが互いに重ならないようにすることができる。
また本発明によれば、各ケーブルが切欠きを通過する配線経路を算出することで、太陽電池モジュールが雨仕舞を行うために、上下に隣接する太陽電池モジュールが重ねられている場合であっても、太陽電池モジュール同士を接続する配線経路を算出可能であり、より現実的なケーブルの配線経路を算出することができる。
また本発明によれば、集約位置とモジュール群とを結ぶ直線に対して、近い経路に沿って給電ケーブルを延ばすことができ、太陽電池モジュールが雨仕舞を行うために、上下に隣接する太陽電池モジュールが重ねられている場合であっても、より現実的なケーブルの配線経路を算出することができる。
また本発明によれば、モジュール間ケーブルを、配置対象領域の水平方後端部から離れた側の切り欠きに通過させることができ、モジュール間ケーブルが太陽電池モジュールから露出する部分を減らすことができる。これによって直射日光による紫外線劣化および雨による浸水を防止することができる。
また本発明によれば、モジュール間ケーブルが略Ｕ字状に延びることで、ケーブルが接続端子を避けて延びることになり、接続を希望しない接続端子にケーブルが接触することを防止することができる。
【図面の簡単な説明】
【図１】本発明の実施の一形態の太陽電池モジュールの配線経路設計装置１を示すブロック図である。
【図２】屋根２０に配置された太陽電池モジュール２１を示す平面図である。
【図３】屋根２０に配置された状態の複数の太陽電池モジュール２１を複数のモジュール群３０，３１，３２に分けた状態を示す平面図である。
【図４】屋根２０に配置された複数の太陽電池モジュール２１を識別するためのモジュール番号１０１〜１２１を付記して示す平面図である。
【図５】本発明の実施の形態に用いられる太陽電池モジュール２１を示す平面図である。
【図６】太陽電池モジュール２１の端子ボックス５３を示す平面図である。端子ボックス５３は、６つの接続端子６１，６２，６３，６４，６５，６６を備える。
【図７】寄棟屋根５０に配置される太陽電池モジュール２１を相互に接続する各モジュール間ケーブル３４の配線経路を示す平面図である。
【図８】各給電ケーブル３５の配線経路を示す平面図である。
【図９】モジュール間ケーブル３４の配線経路を算出する工程を示すフローチャートである。
【図１０】モジュール間ケーブル３４の配線経路を示す平面図である。
【図１１】モジュール間ケーブル３４の配線経路を示す平面図である。
【図１２】モジュール間ケーブル３４の配線経路を示す平面図である。
【図１３】モジュール間ケーブル３４の配線経路を示す平面図である。
【図１４】モジュール間ケーブル３４の配線経路を示す平面図である。
【図１５】モジュール間ケーブル３４の配線経路を示す平面図である。
【図１６】モジュール間ケーブル３４の配線経路を示す平面図である。
【図１７】モジュール間ケーブル３４の配線経路を示す平面図である。
【図１８】モジュール間ケーブル３４ａ，３４ｂによって、接続される４つの太陽電池モジュールＭａ、Ｍｂ，Ｍｃ，Ｍｄを示す平面図である。
【図１９】給電ケーブル３５の配線経路を算出する工程を示すフローチャートである。
【図２０】給電ケーブル３５の配線経路を算出する工程を示すフローチャートである。
【図２１】給電ケーブル３５の配線経路を示す配線図である。
【図２２】給電ケーブル３５の間隔をあけて配置する工程を示すフローチャートである。
【図２３】給電ケーブル３５の間隔をあけて配置する工程を示すフローチャートである。
【図２４】給電ケーブル３５の間隔をあけて配置する工程を示すフローチャートである。
【図２５】配線引き込み口５４へ集約する配線経路を算出する工程を示すフローチャートである。
【図２６】複数の給電ケーブル３５を配線引き込み口３５に接続した状態を示す平面図である。
【符号の説明】
１  配線経路設計手段
２  太陽電池モジュール配置情報取得手段
３  太陽電池モジュール情報取得手段
４  系統情報取得手段
５  配線経路算出手段
６  結果出力手段
【図１】
0003805684.tif 000002
【図２】
0003805684.tif 000003
【図３】
0003805684.tif 000004
【図４】
0003805684.tif 000005
【図５】
0003805684.tif 000006
【図６】
0003805684.tif 000007
【図７】
0003805684.tif 000008
【図８】
0003805684.tif 000009
【図９】
0003805684.tif 000010
【図１０】
0003805684.tif 000011
【図１１】
0003805684.tif 000012
【図１２】
0003805684.tif 000013
【図１３】
0003805684.tif 000014
【図１４】
0003805684.tif 000015
【図１５】
0003805684.tif 000016
【図１６】
0003805684.tif 000017
【図１７】
0003805684.tif 000018
【図１８】
0003805684.tif 000019
【図１９】
0003805684.tif 000020
【図２０】
0003805684.tif 000021
【図２１】
0003805684.tif 000022
【図２２】
0003805684.tif 000023
【図２３】
0003805684.tif 000024
【図２４】
0003805684.tif 000025
【図２５】
0003805684.tif 000026
【図２６】
0003805684.tif 000027